(57)【要約】  本開示のある態様は、基準信号（ＲＳ）を送信する際に使用するためのリソースを割り振る技術を提供する。ある態様にしたがうと、列挙された可能性あるＣＳＩ−ＲＳリソースの大きなセット（“ＣＳＩ−ＲＳパターン”）が規定されてもよく、基地局は、利用可能なパターンのサブセットからＣＳＩ−ＲＳパターンを選択してもよく、サブセットは送信構成により決定される。【選択図】  図６
2013532427.tif 000002
【特許請求の範囲】
【請求項１】
ワイヤレス通信のための方法において、
複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することと、
送信構成に基づいて、前記利用可能なＣＳＩ−ＲＳパターンのセットのうちのサブセットを識別することと、
前記サブセットから前記ＣＳＩ−ＲＳパターンのうちの１つを選択することと、
前記選択されたＣＳＩ−ＲＳパターンにしたがって前記サブフレーム中でＣＳＩ−ＲＳを送信することとを含む方法。
【請求項２】
前記送信構成は、中継基地局への送信を含む請求項１記載の方法。
【請求項３】
前記送信構成は、マルチメディアブロードキャスト単一周波数ネットワーク（ＭＢＳＦＮ）サブフレームの送信を含む請求項１記載の方法。
【請求項４】
前記ＭＢＳＦＮサブフレーム上のパターンのサブセットは、通常サブフレーム上のパターンのサブセットよりも大きい請求項３記載の方法。
【請求項５】
前記通常サブフレームパターンは、前記ＭＢＳＦＮサブフレームパターンのサブセットである請求項４記載の方法。
【請求項６】
前記送信構成は、前記サブフレーム中で基準信号（ＲＳ）を送信するために特定のアンテナポートを使用するか否かを決定する請求項１記載の方法。
【請求項７】
前記特定のアンテナポートは、ロングタームエボリューション（ＬＴＥ）中で規定されているアンテナポート５を含む請求項６記載の方法。
【請求項８】
前記利用可能なＣＳＩ−ＲＳパターンのセットは、前記特定のアンテナポートに対して使用されるＲＥを避けるパターンと、前記特定のアンテナポートに対して使用することが可能なＲＥを含むパターンとを含み、
前記方法は、
前記送信構成が前記特定のアンテナポートを利用する場合に、前記特定のアンテナポートから前記ＲＳを送信するために使用するリソースを避けるＣＳＩ−ＲＳパターンの第１のサブセットを識別することと、
前記送信構成が前記特定のアンテナポートを利用しない場合に、前記ＣＳＩ−ＲＳパターンの第１のセットと追加のＣＳＩ−ＲＳパターンとを含むＣＳＩ−ＲＳパターンの第２のサブセットを識別することとを含む請求項６記載の方法。
【請求項９】
各ＣＳＩ−ＲＳパターンは、ＣＳＩ−ＲＳを送信するために利用可能なリソースエレメント（ＲＥ）のセットを識別する請求項１記載の方法。
【請求項１０】
前記選択されたＣＳＩ−パターンは、ＣＳＩ−ＲＳを送信するために使用するアンテナポートの数に少なくとも部分的に依拠している請求項１記載の方法。
【請求項１１】
前記ＣＳＩ−パターンを選択する際に使用する１つ以上のパラメータのシグナリングを送信することをさらに含む請求項１記載の方法。
【請求項１２】
前記１つ以上のパラメータは、前記ＣＳＩ−ＲＳパターンのサブセットからＣＳＩ−ＲＳパターンを選択するために使用するインデックスを含む請求項１１記載の方法。
【請求項１３】
ワイヤレス通信のための方法において、
複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することと、
特定の送信構成に対して、前記ＣＳＩ−ＲＳを送信するために使用する利用可能なＣＳＩ−ＲＳパターンのセットのうちのサブセットから選択されたＣＳＩ−ＲＳパターンを識別することと、
前記選択されたＣＳＩ−ＲＳパターンにしたがって送信されたＣＳＩ−ＲＳを前記サブフレーム中で受信することとを含む方法。
【請求項１４】
前記送信構成は、中継基地局への送信を含む請求項１３記載の方法。
【請求項１５】
前記送信構成は、マルチメディアブロードキャスト単一周波数ネットワーク（ＭＢＳＦＮ）サブフレームの送信を含む請求項１３記載の方法。
【請求項１６】
前記ＭＢＳＦＮサブフレーム上のパターンのサブセットは、通常サブフレーム上のパターンのサブセットよりも大きい請求項１５記載の方法。
【請求項１７】
前記通常サブフレームパターンは、前記ＭＢＳＦＮサブフレームパターンのサブセットである請求項１６記載の方法。
【請求項１８】
前記送信構成は、前記サブフレーム中で基準信号（ＲＳ）を送信するために特定のアンテナポートを使用するか否かを決定する請求項１３記載の方法。
【請求項１９】
前記特定のアンテナポートは、ロングタームエボリューション（ＬＴＥ）中で規定されているアンテナポート５を含む請求項１８記載の方法。
【請求項２０】
前記利用可能なＣＳＩ−ＲＳパターンのセットは、前記特定のアンテナポートに対して使用されるＲＥを避けるパターンと、前記特定のアンテナポートに対して使用することが可能なＲＥを含むパターンとを含み、
前記方法は、
前記送信構成が前記特定のアンテナポートを利用する場合に、前記特定のアンテナポートから前記ＲＳを送信するために使用するリソースを避けるＣＳＩ−ＲＳパターンの第１のサブセットを識別することと、
前記送信構成が前記特定のアンテナポートを利用しない場合に、前記ＣＳＩ−ＲＳパターンの第１のセットと追加のＣＳＩ−ＲＳパターンとを含むＣＳＩ−ＲＳパターンの第２のサブセットを識別することとを含む請求項１８記載の方法。
【請求項２１】
各ＣＳＩ−ＲＳパターンは、ＣＳＩ−ＲＳを送信するために利用可能なリソースエレメント（ＲＥ）のセットを識別する請求項１３記載の方法。
【請求項２２】
前記選択されたＣＳＩ−パターンは、ＣＳＩ−ＲＳを送信するために使用するアンテナポートの数に少なくとも部分的に依拠している請求項１３記載の方法。
【請求項２３】
前記ＣＳＩ−パターンを選択する際に使用する１つ以上のパラメータのシグナリングを受信することをさらに含む請求項１３記載の方法。
【請求項２４】
前記１つ以上のパラメータは、前記ＣＳＩ−ＲＳパターンのサブセットからＣＳＩ−ＲＳパターンを選択するために使用するインデックスを含む請求項２３記載の方法。
【請求項２５】
ワイヤレス通信のための装置において、
複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別する手段と、
送信構成に基づいて、前記利用可能なＣＳＩ−ＲＳパターンのセットのうちのサブセットを識別する手段と、
前記サブセットから前記ＣＳＩ−ＲＳパターンのうちの１つを選択する手段と、
前記選択されたＣＳＩ−ＲＳパターンにしたがって前記サブフレーム中でＣＳＩ−ＲＳを送信する手段とを具備する装置。
【請求項２６】
前記送信構成は、中継基地局への送信を含む請求項２５記載の装置。
【請求項２７】
前記送信構成は、マルチメディアブロードキャスト単一周波数ネットワーク（ＭＢＳＦＮ）サブフレームの送信を含む請求項２５記載の装置。
【請求項２８】
前記ＭＢＳＦＮサブフレーム上のパターンのサブセットは、通常サブフレーム上のパターンのサブセットよりも大きい請求項２７記載の装置。
【請求項２９】
前記通常サブフレームパターンは、前記ＭＢＳＦＮサブフレームパターンのサブセットである請求項２８記載の装置。
【請求項３０】
前記送信構成は、前記サブフレーム中で基準信号（ＲＳ）を送信するために特定のアンテナポートを使用するか否かを決定する請求項２５記載の装置。
【請求項３１】
前記特定のアンテナポートは、ロングタームエボリューション（ＬＴＥ）中で規定されているアンテナポート５を含む請求項３０記載の装置。
【請求項３２】
前記利用可能なＣＳＩ−ＲＳパターンのセットは、前記特定のアンテナポートに対して使用されるＲＥを避けるパターンと、前記特定のアンテナポートに対して使用することが可能なＲＥを含むパターンとを含み、
前記装置は、
前記送信構成が前記特定のアンテナポートを利用する場合に、前記特定のアンテナポートから前記ＲＳを送信するために使用するリソースを避けるＣＳＩ−ＲＳパターンの第１のサブセットを識別する手段と、
前記送信構成が前記特定のアンテナポートを利用しない場合に、前記ＣＳＩ−ＲＳパターンの第１のセットと追加のＣＳＩ−ＲＳパターンとを含むＣＳＩ−ＲＳパターンの第２のサブセットを識別する手段とを具備する請求項３０記載の装置。
【請求項３３】
各ＣＳＩ−ＲＳパターンは、ＣＳＩ−ＲＳを送信するために利用可能なリソースエレメント（ＲＥ）のセットを識別する請求項２５記載の装置。
【請求項３４】
前記選択されたＣＳＩ−パターンは、ＣＳＩ−ＲＳを送信するために使用するアンテナポートの数に少なくとも部分的に依拠している請求項２５記載の装置。
【請求項３５】
前記ＣＳＩ−パターンを選択する際に使用する１つ以上のパラメータのシグナリングを送信する手段をさらに具備する請求項２５記載の装置。
【請求項３６】
前記１つ以上のパラメータは、前記ＣＳＩ−ＲＳパターンのサブセットからＣＳＩ−ＲＳパターンを選択するために使用するインデックスを含む請求項３５記載の装置。
【請求項３７】
ワイヤレス通信のための装置において、
複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別する手段と、
特定の送信構成に対して、前記ＣＳＩ−ＲＳを送信するために使用する利用可能なＣＳＩ−ＲＳパターンのセットのうちのサブセットから選択されたＣＳＩ−ＲＳパターンを識別する手段と、
前記選択されたＣＳＩ−ＲＳパターンにしたがって送信されたＣＳＩ−ＲＳを前記サブフレーム中で受信する手段とを具備する装置。
【請求項３８】
前記送信構成は、中継基地局への送信を含む請求項３７記載の装置。
【請求項３９】
前記送信構成は、マルチメディアブロードキャスト単一周波数ネットワーク（ＭＢＳＦＮ）サブフレームの送信を含む請求項３７記載の装置。
【請求項４０】
前記ＭＢＳＦＮサブフレーム上のパターンのサブセットは、通常サブフレーム上のパターンのサブセットよりも大きい請求項３９記載の装置。
【請求項４１】
前記通常サブフレームパターンは、前記ＭＢＳＦＮサブフレームパターンのサブセットである請求項４０記載の装置。
【請求項４２】
前記送信構成は、前記サブフレーム中で基準信号（ＲＳ）を送信するために特定のアンテナポートを使用するか否かを決定する請求項３７記載の装置。
【請求項４３】
前記特定のアンテナポートは、ロングタームエボリューション（ＬＴＥ）中で規定されているアンテナポート５を含む請求項４２記載の装置。
【請求項４４】
前記利用可能なＣＳＩ−ＲＳパターンのセットは、前記特定のアンテナポートに対して使用されるＲＥを避けるパターンと、前記特定のアンテナポートに対して使用することが可能なＲＥを含むパターンとを含み、
前記装置は、
前記送信構成が前記特定のアンテナポートを利用する場合に、前記特定のアンテナポートから前記ＲＳを送信するために使用するリソースを避けるＣＳＩ−ＲＳパターンの第１のサブセットを識別する手段と、
前記送信構成が前記特定のアンテナポートを利用しない場合に、前記ＣＳＩ−ＲＳパターンの第１のセットと追加のＣＳＩ−ＲＳパターンとを含むＣＳＩ−ＲＳパターンの第２のサブセットを識別する手段とを具備する請求項４２記載の装置。
【請求項４５】
各ＣＳＩ−ＲＳパターンは、ＣＳＩ−ＲＳを送信するために利用可能なリソースエレメント（ＲＥ）のセットを識別する請求項３７記載の装置。
【請求項４６】
前記選択されたＣＳＩ−パターンは、ＣＳＩ−ＲＳを送信するために使用するアンテナポートの数に少なくとも部分的に依拠している請求項３７記載の装置。
【請求項４７】
前記ＣＳＩ−パターンを選択する際に使用する１つ以上のパラメータのシグナリングを受信する手段をさらに具備する請求項３７記載の装置。
【請求項４８】
前記１つ以上のパラメータは、前記ＣＳＩ−ＲＳパターンのサブセットからＣＳＩ−ＲＳパターンを選択するために使用するインデックスを含む請求項４７記載の装置。
【請求項４９】
ワイヤレス通信のための装置において、
複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別し、送信構成に基づいて、前記利用可能なＣＳＩ−ＲＳパターンのセットのうちのサブセットを識別し、前記サブセットから前記ＣＳＩ−ＲＳパターンのうちの１つを選択し、前記選択されたＣＳＩ−ＲＳパターンにしたがって前記サブフレーム中でＣＳＩ−ＲＳを送信するように構成されている少なくとも１つのプロセッサと、
前記少なくとも１つのプロセッサに結合されているメモリとを具備する装置。
【請求項５０】
ワイヤレス通信のための装置において、
複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別し、特定の送信構成に対して、前記ＣＳＩ−ＲＳを送信するために使用する利用可能なＣＳＩ−ＲＳパターンのセットのうちのサブセットから選択されたＣＳＩ−ＲＳパターンを識別し、前記選択されたＣＳＩ−ＲＳパターンにしたがって送信されたＣＳＩ−ＲＳを前記サブフレーム中で受信するように構成されている少なくとも１つのプロセッサと、
前記少なくとも１つのプロセッサに結合されているメモリとを具備する装置。
【請求項５１】
ワイヤレス通信のための、その上に記憶されている命令を有するコンピュータ読取可能媒体を含むコンピュータプログラムプロダクトにおいて、
前記命令は、
複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することと、
送信構成に基づいて、前記利用可能なＣＳＩ−ＲＳパターンのセットのうちのサブセットを識別することと、
前記サブセットから前記ＣＳＩ−ＲＳパターンのうちの１つを選択することと、
前記選択されたＣＳＩ−ＲＳパターンにしたがって前記サブフレーム中でＣＳＩ−ＲＳを送信することとのための、１つ以上のプロセッサにより実行可能な命令であるコンピュータプログラムプロダクト。
【請求項５２】
ワイヤレス通信のため、その上に記憶されている命令を有するコンピュータ読取可能媒体を含むコンピュータプログラムプロダクトおいて、
前記命令は、
複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することと、
特定の送信構成に対して、前記ＣＳＩ−ＲＳを送信するために使用する利用可能なＣＳＩ−ＲＳパターンのセットのうちのサブセットから選択されたＣＳＩ−ＲＳパターンを識別することと、
前記選択されたＣＳＩ−ＲＳパターンにしたがって送信されたＣＳＩ−ＲＳを前記サブフレーム中で受信することとのための、１つ以上のプロセッサにより実行可能な命令であるコンピュータプログラムプロダクト。
【発明の詳細な説明】
【関連出願への相互参照】
【０００１】
本出願は、２０１０年６月１日に出願され、２０１１年５月３日に出願された米国出願１３／１００，２１５の一部継続でもある、米国仮出願シリアル番号６１／３５０，４４８に対して優先権を主張する。これらは、ここでの参照によりこれらの全体がここに明示的に組み込まれている。
【背景】
【０００２】
Ｉ．分野
本開示は、一般的に、通信に関し、さらに詳細には、ワイヤレス通信ネットワークにおいて測定を行う技術に関する。
【０００３】
ＩＩ．背景
ワイヤレス通信ネットワークは、音声、ビデオ、パケットデータ、メッセージング、ブロードキャスト等のような、さまざまな通信コンテンツを提供するために、広く配備されている。これらのワイヤレスネットワークは、利用可能なネットワークリソースを共有することにより、複数のユーザをサポートできる多元接続ネットワークであってもよい。このような多元接続ネットワークの例は、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよび単一搬送波ＦＤＭＡ（ＳＣ−ＦＤＭＡ）ネットワークを含む。
【０００４】
ワイヤレス通信ネットワークは、多数のユーザ機器（ＵＥ）に対する通信をサポートできる多数の基地局を備えていてもよい。ＵＥは、ダウンリンクおよびアップリンクを介して基地局と通信してもよい。ダウンリンク（すなわちフォワードリンク）は、基地局からＵＥへの通信リンクのことを指し、アップリンク（すなわちリバースリンク）は、ＵＥから基地局への通信リンクのことを指す。
【０００５】
ＵＥにとって既知であるさまざまな基準信号（ＲＳ）が、例えば、チャネル推定を促進するために、ダウンリンク中で送信されてもよい。いくつかのケースでは、セル中のすべてのＵＥに対して共通である、セル固有ＲＳが提供される。さらにまた、特定のＵＥをターゲットにしているデータ中に埋め込まれた、ＵＥ特有なＲＳが送信されてもよい。さらにまた、マルチメディアブロードキャスト単一周波数ネットワーク（ＭＢＳＦＮ）構成のケースでは、ＭＢＳＦＮ特有なＲＳが提供されてもよい。これらのＲＳは、典型的に、直交周波数分割多重化（ＯＦＤＭ）シンボル内の特定されたリソースエレメント（ＲＥ）を占有する。
【概要】
【０００６】
本開示のある態様は、ワイヤレス通信のための方法を提供する。方法は、一般的に、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することと、送信構成に基づいて、利用可能なＣＳＩ−ＲＳパターンのセットのうちのサブセットを識別することと、サブセットからＣＳＩ−ＲＳパターンのうちの１つを選択することと、選択されたＣＳＩ−ＲＳパターンにしたがってサブフレーム中でＣＳＩ−ＲＳを送信することとを含む。
【０００７】
本開示のある態様は、ワイヤレス通信のための方法を提供する。方法は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することと、特定の送信構成に対して、ＣＳＩ−ＲＳを送信するために使用する利用可能なＣＳＩ−ＲＳパターンのセットのうちのサブセットから選択されたＣＳＩ−ＲＳパターンを識別することと、選択されたＣＳＩ−ＲＳパターンにしたがって送信されたＣＳＩ−ＲＳをサブフレーム中で受信することとを含む。
【０００８】
本開示のある態様は、ワイヤレス通信のための装置を提供する。装置は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別する手段と、送信構成に基づいて、利用可能なＣＳＩ−ＲＳパターンのセットのうちのサブセットを識別する手段と、サブセットからＣＳＩ−ＲＳパターンのうちの１つを選択する手段と、選択されたＣＳＩ−ＲＳパターンにしたがってサブフレーム中でＣＳＩ−ＲＳを送信する手段とを具備する。
【０００９】
本開示のある態様は、ワイヤレス通信のための装置を提供する。装置は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別する手段と、特定の送信構成に対して、ＣＳＩ−ＲＳを送信するために使用する利用可能なＣＳＩ−ＲＳパターンのセットのうちのサブセットから選択されたＣＳＩ−ＲＳパターンを識別する手段と、選択されたＣＳＩ−ＲＳパターンにしたがって送信されたＣＳＩ−ＲＳをサブフレーム中で受信する手段とを具備する。
【００１０】
本開示のある態様は、ワイヤレス通信のための装置を提供する。装置は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別し、送信構成に基づいて、利用可能なＣＳＩ−ＲＳパターンのセットのうちのサブセットを識別し、サブセットからＣＳＩ−ＲＳパターンのうちの１つを選択し、選択されたＣＳＩ−ＲＳパターンにしたがってサブフレーム中でＣＳＩ−ＲＳを送信するように構成されている少なくとも１つのプロセッサと、少なくとも１つのプロセッサに結合されているメモリとを具備する。
【００１１】
本開示のある態様は、ワイヤレス通信のための装置を提供する。装置は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別し、特定の送信構成に対して、ＣＳＩ−ＲＳを送信するために使用する利用可能なＣＳＩ−ＲＳパターンのセットのうちのサブセットから選択されたＣＳＩ−ＲＳパターンを識別し、選択されたＣＳＩ−ＲＳパターンにしたがって送信されたＣＳＩ−ＲＳをサブフレーム中で受信するように構成されている少なくとも１つのプロセッサと、少なくとも１つのプロセッサに結合されているメモリとを具備する。
【００１２】
本開示のある態様は、ワイヤレス通信のための、その上に記憶されている命令を有するコンピュータ読取可能媒体を含むコンピュータプログラムプロダクトを提供する。命令は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別し、送信構成に基づいて、利用可能なＣＳＩ−ＲＳパターンのセットのうちのサブセットを識別し、サブセットからＣＳＩ−ＲＳパターンのうちの１つを選択し、選択されたＣＳＩ−ＲＳパターンにしたがってサブフレーム中でＣＳＩ−ＲＳを送信するための、１つ以上のプロセッサにより実行可能な命令である。
【００１３】
本開示のある態様は、ワイヤレス通信のための、その上に記憶されている命令を有するコンピュータ読取可能媒体を含むコンピュータプログラムプロダクトを提供する。命令は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別し、特定の送信構成に対してＣＳＩ−ＲＳを送信するために使用する利用可能なＣＳＩ−ＲＳパターンのセットのうちのサブセットから選択されたＣＳＩ−ＲＳパターンを識別し、選択されたＣＳＩ−ＲＳパターンにしたがって送信されたＣＳＩ−ＲＳをサブフレーム中で受信するための、１つ以上のプロセッサにより実行可能な命令である。
【図面の簡単な説明】
【００１４】
【図１】図１は、ワイヤレス通信ネットワークを示している。
【図２】図２は、基地局およびＵＥのブロックダイヤグラムを示している。
【図３】図３は、周波数分割二重（ＦＤＤ）に対するフレーム構造を示している。
【図４】図４は、ダウンリンクに対する２つの例示的なサブフレームフォーマットを示している。
【図５】図５は、例示的な基地局およびユーザ機器を示している。
【図６】図６は、本開示のある態様にしたがった、基地局およびユーザ機器によって実行できる例示的な動作を図示している。
【図７】図７は、本開示のある態様にしたがった、ＦＤＤサブフレームに対する例示的なＣＳＩ−ＲＳパターンを図示している。
【図８】図８は、本開示のある態様にしたがった、中継器に送信されるサブフレームに対する例示的なＣＳＩ−ＲＳパターンを図示している。
【図９】図９は、本開示のある態様にしたがった、中継器に送信されるサブフレームに対する例示的なＣＳＩ−ＲＳパターンを図示している。
【図１０】図１０は、本開示のある態様にしたがった、ＭＢＳＦＮサブフレームに対する例示的なＣＳＩ−ＲＳパターンを図示している。
【図１１】図１１は、本開示のある態様にしたがった、ＦＤＤサブフレームに対する例示的なＣＳＩ−ＲＳパターンを図示している。
【図１２】図１２は、本開示のある態様にしたがった、ＦＤＤサブフレームに対する例示的なＣＳＩ−ＲＳパターンを図示している。
【図１３】図１３は、本開示のある態様にしたがった、ＦＤＤサブフレームに対する例示的なＣＳＩ−ＲＳパターンを図示している。
【図１４】図１４は、本開示のある態様にしたがった、中継器に送信されるサブフレームに対する例示的なＣＳＩ−ＲＳパターンを図示している。
【図１５】図１５は、本開示のある態様にしたがった、中継器に送信されるサブフレームに対する例示的なＣＳＩ−ＲＳパターンを図示している。
【図１６】図１６は、本開示のある態様にしたがった、中継器に送信されるサブフレームに対する例示的なＣＳＩ−ＲＳパターンを図示している。
【図１７】図１７は、本開示のある態様にしたがった、中継器に送信されるサブフレームに対する例示的なＣＳＩ−ＲＳパターンを図示している。
【図１８】図１８は、本開示のある態様にしたがった、中継器に送信されるサブフレームに対する例示的なＣＳＩ−ＲＳパターンを図示している。
【詳細な説明】
【００１５】
本開示のある態様は、基準信号（ＲＳ）を送信する際に使用するためのリソースを割り振る技術を提供する。ある態様にしたがうと、列挙された可能性あるＣＳＩ−ＲＳリソースの大きなセット（“ＣＳＩ−ＲＳパターン”）が規定されてもよく、基地局は、利用可能なパターンのサブセットからＣＳＩ−ＲＳパターンを選択してもよく、サブセットは送信構成により決定される。
【００１６】
例として、基地局がアンテナポート５上でＵＥ−ＲＳ信号を送信する配置では、基地局はそれらのリソースを避けるＣＳＩ−ＲＳパターンを選択するように構成されていてもよい。一方で、ＵＥ−ＲＳ信号がアンテナポート５上で送信されない配置では、基地局は、（例えば、パターンが、アンテナポート５ＲＥに対して使用されるＲＥを避けるか否かに関係なく）より広い範囲のＣＳＩ−ＲＳパターンから選択してもよい。
【００１７】
ここに記述する技術は、ＣＤＭＡ、ＴＤＭＡ、ＦＤＭＡ、ＯＦＤＭＡ、ＳＣ−ＦＤＭＡおよび他のネットワークのような、さまざまなワイヤレス通信ネットワークに対して使用できる。“ネットワーク”および“システム”という用語は、区別なく使用されることが多い。ＣＤＭＡネットワークは、ユニバーサル地上無線アクセス（ＵＴＲＡ）、ｃｄｍａ２０００等のような、無線技術を実現してもよい。ＵＴＲＡは、ワイドバンドＣＤＭＡ（ＷＣＤＭＡ）、時分割同期ＣＤＭＡ（ＴＤ−ＳＣＤＭＡ）および他のＣＤＭＡの変形を含む。ｃｄｍａ２０００は、ＩＳ−２０００、ＩＳ−９５、およびＩＳ−８５６の標準規格をカバーしている。ＴＤＭＡネットワークは、グローバルシステムフォーモバイルコミュニケーション（ＧＳＭ（登録商標））のような無線技術を実現してもよい。ＯＦＤＭＡネットワークは、進化ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ等のような、無線技術を実現してもよい。ＵＴＲＡおよびＥ−ＵＴＲＡは、ユニバーサルモバイルテレコミュニケーションシステム（ＵＭＴＳ）の一部である。周波数分割二重（ＦＤＤ）および時分割二重（ＴＤＤ）の双方における、３ＧＰＰロングタームエボリューション（ＬＴＥ）およびＬＴＥアドバンスド（ＬＴＥ−Ａ）は、ダウンリンク上でＯＦＤＭＡを用い、アップリンク上でＳＣ−ＦＤＭＡを用いる、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、“第３世代パートナーズシッププロジェクト”（３ＧＰＰ）という名称の機関からの文書中に記載されている。ｃｄｍａ２０００およびＵＭＢは、“第３世代パートナーズシッププロジェクト２”（３ＧＰＰ２）という名称の機関からの文書中に記載されている。ここで記述する技術は、上述したワイヤレスネットワークおよび無線技術とともに、他のワイヤレスネットワークおよび無線技術に対して使用してもよい。明瞭性のために、ＬＴＥに対して、下記に技術の特定の態様を記述し、下記の記述の多くには、ＬＴＥ専門用語を使用している。
【００１８】
図１は、ＬＴＥネットワークまたは他のいくつかのワイヤレスネットワークであってもよい、ワイヤレス通信ネットワーク１００を示している。ワイヤレスネットワーク１００は、多くの進化ノードＢ（ｅＮＢ）１１０および他のネットワークエンティティを備えていてもよい。ｅＮＢは、ＵＥと通信するエンティティであり、基地局、ノードＢ、アクセスポイント等と呼ばれることもある。各ｅＮＢは、特定の地理的エリアに対する通信カバレッジを提供してもよい。３ＧＰＰでは、“セル”という用語は、用語が使用される文脈に依存して、ｅＮＢのカバレッジエリア、および／または、このカバレッジエリアを担当するｅＮＢサブシステムのことを指すことができる。
【００１９】
ｅＮＢは、マクロセル、ピコセル、フェムトセル、および／または、他のタイプのセルに対する通信カバレッジを提供してもよい。マクロセルは、比較的大きな地理的エリア（例えば、半径数キロメートル）をカバーしてもよく、サービス加入より、ＵＥによる制限されていないアクセスを可能にしてもよい。ピコセルは、比較的小さい地理的エリアをカバーしてもよく、サービス加入より、ＵＥによる制限されていないアクセスを可能にしてもよい。フェムトセルは、比較的小さい地理的エリア（例えば、ホーム）をカバーしてもよく、フェムトセルに関係しているＵＥ（例えば、閉じられた加入者グループ（ＣＳＧ）中のＵＥ）による、制限されているアクセスを可能にしてもよい。マクロセルに対するｅＮＢは、マクロｅＮＢと呼ばれてもよい。ピコセルに対するｅＮＢは、ピコｅＮＢと呼ばれてもよい。フェムトセルに対するｅＮＢは、フェムトｅＮＢまたはホームｅＮＢ（ＨｅＮＢ）と呼ばれてもよい。図１中に示している例では、ｅＮＢ１１０ａは、マクロセル１０２ａに対するマクロｅＮＢであってもよく、ｅＮＢ１１０ｂは、ピコセル１０２ｂに対するピコｅＮＢであってもよく、ｅＮＢ１１０ｃは、フェムトセル１０２ｃに対するフェムトｅＮＢであってもよい。ｅＮＢは、１つまたは複数（例えば、３つ）のセルをサポートしてもよい。“ｅＮＢ”、“基地局”、“セル”という用語は、ここでは交換可能に使用してもよい。
【００２０】
ワイヤレスネットワーク１００はまた、中継局を備えていてもよい。中継局は、アップストリーム局（例えば、ｅＮＢまたはＵＥ）からのデータの送信を受信でき、ダウンストリーム局（例えば、ＵＥまたはｅＮＢ）へデータの送信を送ることができるエンティティである。中継局はまた、他のＵＥに対する送信を中継できるＵＥであってもよい。図１中で示している例では、中継局１１０ｄは、ｅＮＢ１１０ａとＵＥ１２０ｄとの間の通信を促進するために、マクロｅＮＢ１１０ａおよびＵＥ１２０ｄと通信してもよい。中継局はまた、中継ｅＮＢ、中継局、中継器等と呼ばれてもよい。
【００２１】
ワイヤレスネットワーク１００は、異なるタイプのｅＮＢ、例えば、マクロｅＮＢ、ピコｅＮＢ、フェムトｅＮＢ、中継ｅＮＢ等、を含む異種ネットワークであってもよい。これらの異なるタイプのｅＮＢは、ワイヤレスネットワーク１００において、異なる送信電力レベル、異なるカバレッジエリア、および、干渉における異なる影響を有しているかもしれない。例えば、マクロｅＮＢは、高い送信電力レベル（例えば、５から４０ワット）を有していてもよい一方で、ピコｅＮＢ、フェムトｅＮＢおよび中継ｅＮＢは、より低い送信電力レベル（例えば、０．１から２ワット）を有していてもよい。
【００２２】
ネットワーク制御装置１３０は、ｅＮＢのセットに結合されていてもよく、これらのｅＮＢに対する調整および制御を提供してもよい。ネットワーク制御装置１３０は、バックホールを介してｅＮＢと通信してもよい。ｅＮＢはまた、例えば、ワイヤレスバックホールまたはワイヤーラインバックホールを介して、直接的にまたは間接的に、互いに通信してもよい。
【００２３】
ＵＥ１２０は、ワイヤレスネットワーク１００全体を通して分散されていてもよく、各ＵＥは、静的なものまたは移動性のものであってもよい。ＵＥはまた、端末、移動局、加入者ユニット、局等と呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマートフォン、ネットブック、スマートブック、タブレット等であってもよい。
【００２４】
図２は、図１中の基地局／ｅＮＢの１つおよびＵＥの１つであってもよい、基地局／ｅＮＢ１１０およびＵＥ１２０の設計のブロックダイヤグラムを示している。基地局１１０は、Ｔ本のアンテナ２３４ａないし２３４ｔを備えていてもよく、ＵＥ１２０は、Ｒ本のアンテナ２５２ａないし２５２ｒを備えていてもよく、ここで、一般的に、Ｔ≧１およびＲ≧１である。
【００２５】
基地局１１０において、送信プロセッサ２２０は、１つ以上のＵＥに対するデータソース２１２からデータを受信し、そのＵＥから受信したＣＱＩに基づいて、各ＵＥに対する１つ以上の変調およびコーディングスキーム（ＭＣＳ）を選択し、ＵＥに対して選択したＭＣＳに基づいて、各ＵＥに対するデータを処理（例えば、エンコードおよび変調）し、すべてのＵＥに対してデータシンボルを提供してもよい。送信プロセッサ２２０はまた、システム情報（例えば、ＳＲＰＩ等）と制御情報（例えば、ＣＱＩ要求、許可、上位レイヤのシグナリング等）を処理し、オーバーヘッドシンボルおよび制御シンボルを提供してもよい。プロセッサ２２０はまた、基準信号（例えば、ＣＲＳ）および同期信号（例えば、ＰＳＳおよびＳＳＳ）に対する基準シンボルを発生させてもよい。送信（ＴＸ）複数入力複数出力（ＭＩＭＯ）プロセッサ２３０は、適用可能な場合に、データシンボル、制御シンボル、オーバーヘッドシンボル、および／または、基準信号上で空間処理（例えば、プリコーディング）を実行してもよく、Ｔ個の変調器（ＭＯＤ）２３２ａないし２３２ｔにＴ個の出力シンボルストリームを提供してもよい。各変調器２３２は、（例えば、ＯＦＤＭ等のために）それぞれの出力シンボルストリームを処理し、出力サンプルストリームを取得してもよい。各変調器２３２は、さらに、出力サンプルストリームを処理（例えば、アナログにコンバート、増幅、フィルタリングおよびアップコンバート）して、ダウンリンク信号を取得してもよい。変調器２３２ａないし２３２ｔからのＴ個のダウンリンク信号は、それぞれ、Ｔ本のアンテナ２３４ａないし２３４ｔを介して送信されてもよい。
【００２６】
ＵＥ１２０において、アンテナ２５２ａないし２５２ｒは、基地局１１０および／または他の基地局からダウンリンク信号を受信してもよく、受信信号を復調器（ＤＥＭＯＤ）２５４ａないし２５４ｒにそれぞれ提供してもよい。各復調器２５４は、この受信信号を調整（例えば、フィルタリング、増幅、ダウンコンバートおよびデジタル化）して、入力サンプルを取得してもよい。各復調器２５４は、（例えば、ＯＦＤＭ等のために）入力サンプルをさらに処理して、受信シンボルを取得してもよい。ＭＩＭＯ検出器２５６は、すべてのＲ個の復調器２５４ａないし２５４ｒから受信シンボルを取得し、適用可能な場合に、受信シンボル上でＭＩＭＯ検出を実行して、検出したシンボルを提供してもよい。受信プロセッサ２５８は、検出シンボルを処理（例えば、復調およびデコード）し、ＵＥ１２０に対するデコードしたデータをデータシンク２６０に提供して、デコードした制御情報およびシステム情報を制御装置／プロセッサ２８０に提供してもよい。チャネルプロセッサ２８４は、下記に記述するような、ＲＳＲＰ、ＲＳＳＩ、ＲＳＲＱ、ＣＱＩ等を決定してもよい。
【００２７】
アップリンク上で、ＵＥ１２０において、送信プロセッサ２６４は、データソース２６２からのデータと、制御装置／プロセッサ２８０からの（例えば、ＲＳＲＰ、ＲＳＳＩ、ＲＳＲＱ、ＣＱＩ等を含む報告のための）制御情報とを、受け取って処理してもよい。プロセッサ２６４はまた、１つ以上の基準信号に対する基準シンボルを発生させてもよい。送信プロセッサ２６４からのシンボルは、適用可能な場合に、ＴＸ ＭＩＭＯプロセッサ２６６によりプリコーディングされてもよく、（例えば、ＳＣ−ＦＤＭ、ＯＦＤＭ等のために）変調器２５４ａないし２５４ｒによりさらに処理されて、基地局１１０に送信されてもよい。基地局１１０において、ＵＥ１２０および他のＵＥからのアップリンク信号は、アンテナ２３４により受信され、復調器２３２により処理され、適用可能な場合に、ＭＩＭＯ検出器２３６により検出されて、受信プロセッサ２３８によりさらに処理されて、ＵＥ１２０により送られ、デコードされた、データおよび制御情報を取得してもよい。プロセッサ２３８は、デコードされたデータをデータシンク２３９に提供し、デコードされた制御情報を制御装置／プロセッサ２４０に提供してもよい。
【００２８】
制御装置／プロセッサ２４０および２８０は、それぞれ、基地局１１０およびＵＥ１２０における動作を指示してもよい。基地局１１０におけるプロセッサ２４０および／または他のプロセッサならびにモジュールは、図６の動作６００、および／または、ここに記述した技術に対する他のプロセスを実行または指示してもよい。ＵＥ１２０におけるプロセッサ２８０および／または他のプロセッサならびにモジュールは、図６の動作６５０、および／または、ここに記述した技術に対する他のプロセスを実行または指示してもよい。メモリ２４２および２８２は、それぞれ、基地局１１０およびＵＥ１２０に対する、データおよびプログラムコードをそれぞれ記憶してもよい。スケジューラ２４４は、ダウンリンクおよび／またはアップリンク上のデータ送信に対してＵＥをスケジューリングしてもよい。
【００２９】
図３は、ＬＴＥにおけるＦＤＤに対する例示的なフレーム構造３００を示している。ダウンリンクおよびアップリンクの各々に対する送信タイムラインは、無線フレームの単位に分割されてもよい。各無線フレームは、予め定められている持続期間（例えば、１０ミリ秒（ｍｓ））を有していてもよく、０ないし９のインデックスを持つ１０個のサブフレームに分割されてもよい。各サブフレームは、２個のスロットを含んでいてもよい。各無線フレームは、したがって、０ないし１９のインデックスを持つ２０個のスロットを含んでいてよい。各スロットは、Ｌ個のシンボル期間、例えば、（図２中で示しているように）ノーマルサイクリックプリフィックスに対して７個のシンボル期間、または、拡張サイクリックプリフィックスに対して６個のシンボル期間を含んでいてもよい。各サブフレーム中の２Ｌ個のシンボル期間に、０ないし２Ｌ−１のインデックスが割り当てられていてもよい。
【００３０】
ＬＴＥでは、ｅＮＢは、ｅＮＢによってサポートされる各セルに対して、システム帯域幅の中心１．０８ＭＨｚ中で、ダウンリンク上で、１次同期信号（ＰＳＳ）および２次同期信号（ＳＳＳ）を送信してもよい。図３中に示しているように、ＰＳＳおよびＳＳＳは、それぞれ、ノーマルサイクリックプリフィックスを持つ各無線フレームのサブフレーム０および５におけるシンボル期間６および５中で送信されてもよい。ＰＳＳおよびＳＳＳは、セルサーチおよび獲得のためにＵＥにより使用されてもよい。ｅＮＢは、ｅＮＢによりサポートされる各セルに対して、システム帯域幅にわたって、セル固有基準信号（ＣＲＳ）を送信してもよい。ＣＲＳは、各サブフレームの特定のシンボル期間中に送信されてもよく、チャネル推定、チャネル品質測定および／または他の機能を実行するために、ＵＥにより使用されてもよい。ｅＮＢはまた、特定の無線フレーム中のスロット１におけるシンボル期間０から３中で、物理ブロードキャストチャネル（ＰＢＣＨ）を送信してもよい。ＰＢＣＨは、いくつかのシステム情報を伝えてもよい。ｅＮＢは、特定のサブフレーム中で、物理ダウンリンク共有チャネル（ＰＤＳＣＨ）上で、システム情報ブロック（ＳＩＢ）のような他のシステム情報を送信してもよい。ｅＮＢは、サブフレームの第１のＢシンボル期間中で、物理ダウンリンク制御チャネル（ＰＤＣＣＨ）上で制御情報／データを送信してもよく、Ｂは、各サブフレームに対して構成可能であってもよい。ｅＮＢは、各サブフレームの残りのシンボル期間中で、ＰＤＳＣＨ上でトラフィックデータおよび／または他のデータを送信してもよい。
【００３１】
図４は、通常のサイクリックプリフィックスを持つダウンリンクに対して、２つの例示的なサブフレームフォーマット４１０および４２０を示している。ダウンリンクに対して利用可能な時間周波数リソースは、リソースブロックに分割してもよい。各リソースブロックは、１個のスロット中の１２個の副搬送波をカバーしてもよく、多数のリソースエレメントを含んでいてもよい。各リソースエレメントは、１個のシンボル期間中の１個の副搬送波をカバーしてもよく、実数値または複素数値であってもよい１個の変調シンボルを送るために使用されてもよい。
【００３２】
サブフレームフォーマット４１０は、２本のアンテナを装備するｅＮＢに対して使用してもよい。ＣＲＳは、シンボル期間０、４、７および１１中で、アンテナ０および１から送信されてもよい。基準信号は、送信機および受信機によりアプリオリに知られている信号であり、パイロットとも呼ばれることがある。ＣＲＳは、セルに対して固有の、例えば、セル識別子（ＩＤ）に基づいて発生された基準信号である。図４中では、ラベルＲaを持つ所定のリソースエレメントに対して、そのリソースエレメント上で、アンテナａから変調シンボルが送信されてもよく、そのリソースエレメント上で、他のアンテナからは変調シンボルが送信されない。サブフレームフォーマット４２０は、４本のアンテナを装備するｅＮＢに対して使用してもよい。ＣＲＳは、シンボル期間０、４、７および１１中で、アンテナ０および１から送信されてもよく、シンボル期間１および８中で、アンテナ２および３から送信されてもよい。サブフレームフォーマット４１０および４２０の双方に対して、ＣＲＳは、セルＩＤに基づいて決定されてもよい、等しく間隔をあけている副搬送波上で送信されてもよい。異なるｅＮＢは、それらのセルＩＤに依存して、同一の副搬送波または異なる副搬送波上で、それらのＣＲＳを送信してもよい。サブフレームフォーマット４１０および４２０の双方に対して、ＣＲＳに対して使用されないリソースエレメントは、データ（例えば、トラフィックデータ、制御データおよび／または他のデータ）を送信するために使用してもよい。
【００３３】
ＬＴＥにおけるＦＤＤに対するダウンリンクおよびアップリンクのそれぞれに対して、インターレース構造を使用してもよい。例えば、０ないしＱ−１のインデックスを持つＱ個のインターレースを規定してもよく、Ｑは、４、６、８、１０に等しくても、または他の何らかの値であってもよい。各インターレースは、Ｑ個のフレームだけ間隔をあけて離されているサブフレームを含んでいてもよい。特に、インターレースｑは、サブフレームｑ、ｑ＋Ｑ、ｑ＋２Ｑ等を含んでもよく、ここでｑ∈｛０，...，Ｑ−１｝である。
【００３４】
ワイヤレスネットワークは、ダウンリンクおよび／またはアップリンク上でのデータ送信に対して、ハイブリッド自動再送（ＨＡＲＱ）をサポートしてもよい。ＨＡＲＱに対して、受信機（例えば、ＵＥ）によりパケットが正しくデコードされるまで、または、他の何らかの終了条件に直面するまで、送信機（例えば、ｅＮＢ）はパケットの１つ以上の送信を送ってもよい。同期ＨＡＲＱに対して、パケットのすべての送信は、単一のインターレースのサブフレーム中で送られてもよい。非同期ＨＡＲＱに対して、パケットのそれぞれの送信は、どのサブフレーム中で送られてもよい。
【００３５】
ＵＥは、複数のｅＮＢのカバレッジ内に位置付けられていてもよい。これらのｅＮＢのうちの１つは、ＵＥを担当するように選択されてもよい。担当ｅＮＢは、受信信号強度、受信信号品質、パス損失等のような、さまざまな基準に基づいて選択されてもよい。受信信号品質は、信号対ノイズおよび干渉比（ＳＩＮＲ）、基準信号受信品質（ＲＳＲＱ）等により、定量化されてもよい。ＵＥは、ＵＥが１つ以上の干渉ｅＮＢから高い干渉を観測するかもしれない、支配的な干渉シナリオにおいて動作してもよい。
【００３６】
ある態様にしたがうと、ＣＳＩ−ＲＳを送信するために使用するリソースを規定する、ＣＳＩ−ＲＳパターンの比較的大きなセットを規定してもよい。基地局は、送信構成に少なくとも部分的に基づいて、これらのＣＳＩ−ＲＳパターンのサブセットを識別してもよい。基地局は、その後、識別されたサブセットからパターンを選択して、選択されたパターンにしたがって、ＣＳＩ−ＲＳを送信してもよい。
【００３７】
以下のさらなる詳細において記述するように、ＣＳＩ−ＲＳパターンの異なるサブセットを利用してもよい例示的な送信構成は、例えば、ＭＢＳＦＮ送信のための構成、中継デバイスへの送信のための構成、および、ＵＥ特有なＲＳを送信するために特定のアンテナポート（例えば、アンテナポート５）を利用する構成を含んでもよい。
【００３８】
ＣＳＩ−ＲＳパターンのより大きなセットを利用することにより、システム設計を簡略化しつつ、異なる送信構成に対して異なるサブセットを使用することを可能にする。例えば、以下のさらなる詳細において記述するように、グループから選択される特定のＣＳＩパターンが単一のインデックス値により識別できることから、このようなアプローチはシグナリングを簡略化してもよい。
【００３９】
図５は、本開示のある態様にしたがって選択されるＣＳＩ−ＲＳパターンを利用することができる、基地局（すなわちｅＮＢ）５１０およびＵＥ５２０を備える例示的なワイヤレスシステム５００を図示している。
【００４０】
ある態様にしたがうと、基地局５１０は、ＣＳＩ−ＲＳパターン選択モジュール５１４を備えていてもよい。ＣＳＩ−ＲＳパターン選択モジュール５１４は、一般的に、特定の送信構成に対して利用可能なＣＳＩ−ＲＳパターンのサブセットを決定し、サブセットのＣＳＩ−ＲＳパターンのうちの１つを選択するように構成されていてもよい。基地局５１０は、選択されたＣＳＩ−ＲＳパターンにしたがって、送信機モジュール５１２を介してＣＳＩ−ＲＳを送信してもよい。
【００４１】
図示しているように、ＣＳＩ−ＲＳは、サブフレームのＰＤＳＣＨ領域中で送信されてもよい。ある態様にしたがうと、基地局５１０は、選択されたＣＳＩ−ＲＳパターンを示す１つ以上のパラメータをＵＥ５２０にシグナリングしてもよい。例えば、基地局５１０は、利用可能なＣＳＩ−ＲＳパターンのより大きなセットから選択されたＣＳＩ−ＲＳパターンを識別するために使用されるインデックスを送信してもよい。
【００４２】
ＵＥ５２０は、受信機モジュール５２６を介して、（例えば、ＰＤＳＣＨ領域中で送信される）ＣＳＩ−ＲＳ送信を受信してもよい。ＣＳＩ−ＲＳパターンの知識とともに、ＵＥ５２０は、ＣＳＩ−ＲＳ処理モジュールにより、ＣＳＩ−ＲＳを取り出して処理してもよい。ＣＳＩ−ＲＳ処理モジュールは、（例えば、異なるアンテナポートからのＲＳに基づくチャネル状態情報を示す）ＣＳＩフィードバックを発生させてもよい。
【００４３】
ＵＥ５２０は、送信機モジュール５２２を介して、ＣＳＩフィードバックを基地局５１０に送ってもよい。基地局５１０は、受信機モジュール５１６を介してＣＳＩフィードバックを受信し、フィードバックを利用して送信プロパティを調節してもよい。
【００４４】
図６は、例えば、図５の基地局５１０のような基地局により実行されてもよい例示的な動作６００を図示している。
【００４５】
動作６００は、６０２において、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することにより、開始する。６０４において、基地局は、送信構成に基づいて、利用可能なＣＲＳ−ＲＳパターンのセットのうちのサブセットを識別してもよい。６０６において、基地局は、サブセットからＣＳＩ−ＲＳパターンのうちの１つを選択してもよい。６０８において、基地局は、選択されたＣＳＩ−ＲＳパターンにしたがってサブフレーム中でＣＳＩ−ＲＳを送信してもよい。上で述べたように、基地局は、選択されたＣＳＩ−ＲＳパターンを示す１つ以上のパラメータをシグナリングしてもよい。
【００４６】
図６はまた、例えば、図５のＵＥ５２０のようなＵＥにより実行されてもよい例示的な動作６５０を図示している。
【００４７】
動作６５０は、６５２において、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することにより、開始する。６５４において、ＵＥは、特定の送信構成に対して、ＣＳＩ−ＲＳを送信するために使用する利用可能なＣＳＩ−ＲＳパターンのセットのうちのサブセットから選択されたＣＳＩ−ＲＳパターンを識別してもよい。６５６において、ＵＥは、選択されたＣＳＩ−ＲＳパターンにしたがって送信されたＣＳＩ−ＲＳをサブフレーム中で受信してもよい。上で述べたように、ＵＥはまた、選択されたＣＳＩ−ＲＳパターンを示す１つ以上のパラメータのシグナリングを受信してもよい。代替実施形態として、ＵＥは、例えば、セルＩＤ、送信構成および／またはシステムタイミングに基づいて、選択されたＣＳＩ−ＲＳパターンをこのようなシグナリングなしで決定することができてもよい。
【００４８】
比較的多数の可能性あるＣＳＩ−ＲＳパターンが存在する一方で、いくつかのケースでは、多くの目的を達成しようと努めながら、ＣＳＩ−ＲＳを送信する際に使用するためのリソースをＢＳのアンテナポートに対して割り振ることが望ましいかもしれない。例として、いくつかのケースでは、（例えば、送信モード７に対して）アンテナポート５ＵＥ−ＲＳシンボルを含むＯＦＤＭシンボルを使用することを避けるＣＳＩ−Ｓパターンを有することが望ましいかもしれない。しかしながら、アンテナポート５ＵＥ−ＲＳ送信を利用しない配置では、このことは、結果として、ＣＳＩ−ＲＳに対して利用可能なＲＥの数を不必要に減少させてしまうかもしれない。したがって、ここに提示するある態様にしたがうと、ＵＥ−ＲＳに対してアンテナポート５を利用する配置は、利用可能なＣＳＩ−ＲＳパターンのより小さなサブセット（アンテナポート５ＵＥ−ＲＳシンボルを含むＯＦＤＭシンボルを使用することを避けるもの）を利用するように構成されていてもよい。ＵＥ−ＲＳに対してアンテナポート５を利用しない配置は、利用可能なＣＳＩ−ＲＳパターンのより大きなセットを利用するように構成されていてもよい。
【００４９】
ある態様にしたがうと、ＣＳＩ−ＲＳ周波数密度は、アンテナポートの数に関わらず（例えば、２Ｔｘ、４Ｔｘおよび８Ｔｘに関わらず）、アンテナポート毎のＲＢ毎に１個のＲＥであってもよい（１ＲＥ／ＲＢ／アンテナポート）。ある態様にしたがうと、ＲＢにわたって比較的均一なパターンを維持するように試みることが望ましいかもしれない。このことは、チャネル推定を簡略化するのを支援し、不均一なパターンよりも実現するのが簡単である。
【００５０】
上で述べたように、利用可能なＣＳＩ−ＲＳパターンのサブセットは、送信構成に依存していてもよい。このようなサブセットから選択される厳密なＣＳＩ−ＲＳパターンは、さまざまな方法で決定されてもよい。例えば、ＣＳＩ−ＲＳパターンは、物理セルＩＤとＣＳＩ−ＲＳアンテナポートの数との関数として選択されてもよい。加えて、または、代替実施形態として、選択されるパターンは、予め規定されており、列挙されたＣＳＩ−ＲＳパターンセットからのシグナリングされたインデックスにより示されてもよい。このシグナリングされたインデックスも、ＣＳＩ−ＲＳアンテナポートの数とシステム帯域幅とに依存してもよい。
【００５１】
同一のセルの異なるアンテナポートに対するＣＳＩ−ＲＳは、例えば、ＦＤＭおよび／またはＴＤＭを利用して、直交多重化される必要があるかもしれない。ＣＳＩ−ＲＳ ＲＥ上の電力を完全に利用するために、ＣＳＩ−ＲＳを含む各ＯＦＤＭシンボルが、すべてのアンテナポートのＣＳＩ−ＲＳを含むことが望ましいかもしれない。
【００５２】
ある態様にしたがうと、ＴＤＤおよびＦＤＤモードに対して比較的多数のＣＳＩ−ＲＳパターンが提供されてもよい。（例えば、ＤＬタイミングケース３のケースにおいて、バックホールリンク上の最後のＯＦＤＭシンボルが切り捨てられるときに、）アドバンスドＵＥ（例えば、リリース１０ＬＴＥ ＵＥ以降）と中継ノードとにより使用されるＣＳＩ−ＲＳパターン間で、再利用係数を最大化し、共通性を維持するように努めながら、パターンを規定してもよい。
【００５３】
図７ないし１９は、多数の異なる例示的なＣＳＩ−ＲＳパターンを図示している。記述するように、図示しているパターンは、基地局全体にわたっての、パターンの異なるレベルの再利用を考慮する。例示的なリソース割り振りは、結果として、異なる数のアンテナポート（例えば、２Ｔｘ、４Ｔｘおよび８Ｔｘ）に対する多数の利用可能なＣＳＩ−ＲＳパターンになる。
【００５４】
例えば、図７は、８ポートＣＳＩ−ＲＳパターンに対する６の再利用係数（または、２つの４ポートＣＳＩ−ＲＳパターンとして、８ポートパターンのそれぞれを分けることにより取得してもよい、４ポートパターンに対する１２の再利用係数）を持つ、周波数分割二重送信モードに対して使用できる例示的なＣＳＩ−ＲＳパターンに対するリソースグリッド７１０を図示している。図示しているように、多数のＲＥは、（“Ｃ”とラベル付けられている）ＣＲＳと、（“Ｄ”とラベル付けられている）ＤＭ−ＲＳとに対して専用であってもよいが、他のＲＥは、ＣＳＩ−ＲＳに対して利用可能でない、または、単に使用されなくてもよい。図示しているように、これは、（“１”ないし“６”とラベル付けられている）最大６機の基地局に対する８ＣＳＩ−ＲＳポートを依然として考慮する。リソースグリッド７２０は、これもまた最大６機の基地局に対する８ＣＳＩ−ＲＳポートを考慮する類似した例を示しているが、リソースグリッド７１０に比べて再配置されたセット“１”に対してＲＥが割り振られている。リソースグリッド７３０は、リソースグリッド７１０および７２０からのＲＥを組み合わせることにより、７の再利用係数を提供する。
【００５５】
図８ないし９は、本開示のある態様にしたがった、中継器に送信されるサブフレームに対する例示的なＣＳＩ−ＲＳパターンを図示している。これらの例示的な中継器パターンのすべてに対して、１４個のシンボルを示しているが、スイッチング時間により最後のシンボルは損失されるかもしれない。図８は、中継ノードへの送信のために使用してもよい例示的なＣＳＩ−ＲＳパターンに対して、リソースグリッド８１０、８２０および８３０を図示している。リソースグリッドは１４個のシンボルを示しているが、スイッチング時間により結果として最後のシンボルが損失されるかもしれない。図８中に図示している例は、サブフレーム毎の時間における２つのＵＥ−ＲＳインスタンスを仮定してもよい。図示しているように、リソースグリッド８１０中に示している例は、５の再利用係数を提供してもよい。再利用係数は、リソースグリッド８３０中で図示しているように、６に増加させてもよい。リソースグリッド８２０中で図示しているように、いくつかのケースでは、最初の４個のシンボルと最後のシンボルは、避けられてもよく、結果として、３の再利用係数になる。また、図８中で示しているすべてのパターンの中で、例が、２アンテナポートのＣＳＩ−ＲＳが時間において２個の隣接するＲＥにわたってコード分割多重化されている（ＣＤＭされている）、ＣＤＭ−Ｔを持つパターンのみに限定される場合、グリッド８２０中で示しているパターンのみが使用されてもよい。
【００５６】
図９は、サブフレーム毎に１つのＣＳＩ−ＲＳインスタンスを仮定して、例えば、中継ノードへの送信のために使用してもよい例示的なＣＳＩ−ＲＳパターンに対して、リソースグリッド９１０および９２０を図示している。図示しているように、リソースグリッド９１０中に示している例は、７の再利用係数を提供してもよい一方で、リソースグリッド９２０中に示している例は、４の再利用係数を提供してもよい。
【００５７】
図１０は、ＭＢＳＦＮサブフレーム中での送信のために使用してもよい例示的なＣＳＩ−ＲＳパターンに対する、リソースグリッド１０１０、１０２０および１０３０を図示している。図示しているように、リソースグリッド１０１０、１０２０および１０３０中に示している例は、それぞれ、１４、１２および１５の再利用係数を提供してもよい。
【００５８】
上で述べたように、いくつかのケースでは、ＣＳＩ−ＲＳパターンが、アンテナポート５により送信されるＵＥ−ＲＳを運ぶＲＥを避けることが望ましいかもしれない。図１１は、４の再利用係数に対して、アンテナポート５により送信されるＵＥ−ＲＳ（このような送信に対する“Ｕ”とラベル付けされているＲＥ）を避ける、ＴＤＤサブフレームに対する多数の異なるＣＳＩ−ＲＳパターンが利用可能である。いくつかのケースでは、１２、１０、８および１０個のＲＥが、それぞれ、ＢＳ１、２、３および４のＣＳＩ−ＲＳに対して予約されていてもよいが、それらのＲＥのうちのいくつかのみがＣＳＩ−ＲＳに対して実際に使用される。例えば、リソースグリッド１１１０は、ＢＳ“１”に対して利用可能な９個のＲＥ、ＢＳ“２”およびＢＳ“４”に対して利用可能な１２個のＲＥ、ＢＳ“３”に対して利用可能な８個のＲＥの例示的な割り振りを図示しており、ここで、ＵＥ−ＲＳポート５に割り振られているすべてのＲＥは避けられる。これらの利用可能なＲＥのうちの任意の８個のＲＥのセットが、利用可能なＣＳＩ−ＲＳパターンを構成することが可能である。したがって、９個のＲＥにより、ＢＳ“１”に対して９の可能性あるパターンが存在し、１２個のＲＥにより、ＢＳ“２”およびＢＳ“４”に対して、４９５個の利用可能な組み合わせが存在する。ＣＤＭ−Ｆ ＣＳＩ−ＲＳパターンが考慮される場合に、使用可能なＲＥの数はさらに減少する。例えば、ＲＥは、２アンテナポートのＣＳＩ−ＲであるＣＤＭ−Ｆパターンに対応する各ＢＳに対してグループ化され、周波数において２本の隣接するトーンにわたってＣＤＭされる。ＲＥが、サイズ２のグループ中へとペアリングされる場合に、一番上から、そのグループ中へとペアリングされているＲＥを見つけることができないＲＥはスキップされてもよい。この例では、この追加の制約が、グループのそれぞれに対する使用可能なＲＥの数を８に減少させる。（同一の基地局ナンバーに対して）各ＣＳＩ−ＲＳグループ中の８ＣＳＩ−ＲＳポートに対してＲＥを割り振ることが可能であると理解できる。
【００５９】
リソースグリッド１１２０および１１３０により図示しているように、アンテナポート５がＵＥ−ＲＳを送信するために使用される“Ｕ”ＲＥの位置はシフトしてもよい。図示しているように、これにより、ＣＳＩ−ＲＳに対して利用可能なＲＥ位置、および、いくつかのケースでは、利用可能なＲＥの数が変化してもよい。しかしながら、依然として利用可能なこれらの新しい“Ｕ”位置を避ける多数のＣＳＩ−ＲＳパターンが依然として存在する。ＣＤＭ−Ｆに対して、上述したペアリングでは、また、各グループに対して、８ポートを持つＣＳＩ−ＲＳパターンを見つけることが可能であってもよい。示されてはいないが、ＣＲＳに対するＲＥの位置もまたシフトしてもよいことに留意すべきである。
【００６０】
図１２は、４の再利用係数をまた提供する他の例示的なリソースグリッド１２１０、１２２０および１２３０を図示している。これらの例では、ＢＳ“１”、“２”、“３”および“４”のそれぞれに対応して、１２個のＲＥが予約されている。しかしながら、ＵＥ−ＲＳに対して使用されないＲＥのみがＣＳＩ−ＲＳに対する使用に対して利用可能であり、結果として、ＣＳＩ−ＲＳに対して利用可能なＲＥの数がより少なくなる。リソースグリッド１２１０は、ＢＳ“１”、ＢＳ“２”およびＢＳ“４”に対して利用可能な１１個のＲＥと、ＢＳ“３”に対して利用可能な１０個のＲＥとの例示的な割り振りを図示している。リソースグリッド１２２０は、ＢＳ“２”に対して利用可能な１１個のＲＥと、ＢＳ“１”、ＢＳ“３”およびＢＳ“４”に対して利用可能な１０個のＲＥとの例示的な割り振りを図示している。リソースグリッド１２３０は、ＢＳ“３”に対して利用可能な１１個のＲＥと、ＢＳ“１”、ＢＳ“２”およびＢＳ“４”に対して利用可能な１０個のＲＥとの例示的な割り振りを図示している。この例が、２アンテナポートのＣＳＩ−ＲＳが時間において２個の隣接するＲＥにわたってＣＤＭされているＣＤＭ−Ｔ ＣＳＩ−ＲＳパターンに限定されている場合、アンテナポート５のＵＥ−ＲＳのすべての可能性あるシフトに対して、各グループ中に少なくとも８ＣＳＩ−ＲＳポートを適合させてもよい。
【００６１】
図１３は、５の再利用係数をまた提供する、他のさらなる例示的なリソースグリッド１３１０、１３２０および１３３０を図示している。リソースグリッド１３１０は、ＢＳ“１”に対して利用可能な９個のＲＥと、ＢＳ“２”、ＢＳ“３”およびＢＳ“５”に対して利用可能な１１個のＲＥと、ＢＳ“４”に対して利用可能な１０個のＲＥとの例示的な割り振りを図示している。リソースグリッド１３２０は、ＢＳ“１”に対して利用可能な９個のＲＥと、ＢＳ“２”、ＢＳ“４”およびＢＳ“５”に対して利用可能な１０個のＲＥと、ＢＳ“３”に対して利用可能な１１個のＲＥとの例示的な割り振りを図示している。リソースグリッド１３３０は、ＢＳ“１”に対して利用可能な９個のＲＥと、ＢＳ“２”、ＢＳ“３”およびＢＳ“５”に対して利用可能な１０個のＲＥと、ＢＳ“４”に対して利用可能な１１個のＲＥとの例示的な割り振りを図示している。この例が、ＢＳ２、３、４、５におけるＣＤＭ−Ｔパターンに限定されている場合、ＣＳＩ−ＲＳに対して利用可能なＲＥの数は減少されるが、８ＣＳＩ−ＲＳポートが依然として適合されてもよい。ＢＳ１に対して、２本の隣接するトーンにわたってＣＤＭを持つＣＤＭ−Ｆパターンに対するパターンを限定し、依然として８パターンを適合することは不可能である。しかしながら、８ＣＳＩ−ＲＳポートは、ＦＤＭパターンを使用して、または、ＣＤＭ−Ｆパターンにより、ＢＳ“１”に適合してもよいが、隣接しないトーンにわたるＣＤＭを可能にする。
【００６２】
図１４ないし１８は、本開示のある態様にしたがった、中継器に送信されるサブフレームに対する例示的なＣＳＩ−ＲＳパターンを図示している。上で述べたように、１４個のシンボルを示しているが、スイッチング時間により最後のシンボルが損失されるかもしれない。図１４は、サブフレーム毎の時間における２つのＵＥ−ＲＳインスタンスを仮定して、中継ノードへの送信に対して使用してもよく、また“Ｕ”ＲＥを避ける例示的なＣＳＩ−ＲＳパターンに対するリソースグリッド１４１０、１４２０および１４３０を図示している。例は、３の再利用係数を提供する。リソースグリッド１４１０は、ＢＳ“１”およびＢＳ“２”に対して利用可能な１１個のＲＥと、ＢＳ“３”に対して利用可能な８個のＲＥとの例示的な割り振りを図示している。リソースグリッド１４２０および１４３０の双方は、ＢＳ“１”およびＢＳ“２”に対して利用可能な１０個のＲＥと、ＢＳ“３”に対して利用可能な８個のＲＥとの例示的な割り振りを図示している。例が、ＣＤＭ−Ｆが隣接するトーン（周波数における隣接するＲＥ）に限定されていると考慮される場合、各グループに対する１つの一意的なＣＳＩ−ＲＳパターンが利用可能であってもよい。
【００６３】
図１５は、サブフレーム毎の時間における２つのＵＥ−ＲＳインスタンスを仮定して、中継ノードへの送信に対して使用してもよく、また“Ｕ”ＲＥを避ける例示的なＣＳＩ−ＲＳパターンに対するリソースグリッド１５１０、１５２０および１５３０を図示している。例は、２の再利用係数を提供する。リソースグリッド１５１０および１５３０の双方は、ＢＳ“１”および“２”に対して利用可能な１１個のＲＥの例示的な割り振りを図示している。リソースグリッド１５２０は、ＢＳ“１”および“２”に対して利用可能な１０個のＲＥの例示的な割り振りを図示している。例が、時間において隣接するＲＥにわたってＣＤＭを持つＣＤＭ−Ｔパターンに限定される場合、利用可能なＲＥの数は減少されるが、ＵＥ−ＲＳアンテナ５のすべての可能性あるシフトに対して、各グループ中で８ＣＳＩ−ＲＳポートを依然として適合させてもよい。
【００６４】
図１６は、サブフレーム毎の時間における２つのＵＥ−ＲＳインスタンスを仮定して、中継ノードへの送信に対して使用してもよく、また“Ｕ”ＲＥを避ける例示的なＣＳＩ−ＲＳパターンに対するリソースグリッド１６１０、１６２０および１６３０を図示している。例は、４の再利用係数を提供する。リソースグリッド１６１０および１６３０の双方は、ＢＳ“１”、ＢＳ“２”およびＢＳ“３”に対して利用可能な１１個のＲＥと、ＢＳ“４”に対して利用可能な８個のＲＥとの例示的な割り振りを図示している。リソースグリッド１６２０は、ＢＳ“１”に対して利用可能な１１個のＲＥと、ＢＳ“２”およびＢＳ“３”に対して利用可能な１０個のＲＥと、ＢＳ“４”に対して利用可能な８個のＲＥとの例示的な割り振りを図示している。図１６中の例が、ＢＳ２および３に対して、時間における連続するＲＥにわたってＣＤＭを持つＣＤＭ−Ｔパターンと、ＢＳ１および４に対して、周波数における連続するＲＥにわたってＣＤＭを持つＣＤＭ−Ｆパターンとに限定される場合、利用可能なＲＥの数は減少されるが、ＵＥ−ＲＳアンテナポート５のすべての可能性あるシフトに対して、８ＣＳＩ−ＲＳポートが各ＢＳに対して依然として適合されてもよい。
【００６５】
図１７は、サブフレーム毎の時間における１つのＵＥ−ＲＳインスタンスを仮定して、中継ノードへの送信に対して使用してもよく、また“Ｕ”ＲＥを避ける例示的なＣＳＩ−ＲＳパターンに対するリソースグリッド１７１０、１７２０および１７３０を図示している。例は、５の再利用係数を提供する。リソースグリッド１７１０は、ＢＳ“１”、ＢＳ“２”およびＢＳ“３”に対して利用可能な１１個のＲＥと、ＢＳ“４”に対して利用可能な１０個のＲＥと、ＢＳ“５”に対して利用可能な８個のＲＥとの例示的な割り振りを図示している。リソースグリッド１７２０は、ＢＳ“１”およびＢＳ“３”に対して利用可能な１１個のＲＥと、ＢＳ“２”およびＢＳ“４”に対して利用可能な１０個のＲＥと、ＢＳ“５”に対して利用可能な８個のＲＥとの例示的な割り振りを図示している。リソースグリッド１７３０は、ＢＳ“１”およびＢＳ“４”に対して利用可能な１１個のＲＥと、ＢＳ“２”およびＢＳ“３”に対して利用可能な１０個のＲＥと、ＢＳ“５”に対して利用可能な８個のＲＥとの例示的な割り振りを図示している。図１７中の例が、ＢＳ３および４に対して、時間における連続するＲＥにわたってＣＤＭを持つＣＤＭ−Ｔパターンと、ＢＳ１、２および５に対して、周波数における連続するＲＥにわたってＣＤＭを持つＣＤＭ−Ｆパターンとに限定される場合、利用可能なＲＥの数は減少されるが、ＵＥ−ＲＳアンテナポート５のすべての可能性あるシフトに対して、８ＣＳＩ−ＲＳポートが各ＢＳに対して依然として適合されてもよい。
【００６６】
図１８は、サブフレーム毎の時間における１つのＵＥ−ＲＳインスタンスを仮定して、中継ノードへの送信に対して使用してもよく、また“Ｕ”ＲＥを避ける例示的なＣＳＩ−ＲＳパターンに対するリソースグリッド１８１０、１８２０および１８３０を図示している。例は、３の再利用係数を提供する。リソースグリッド１８１０は、ＢＳ“１”およびＢＳ“２”に対して利用可能な１１個のＲＥと、ＢＳ“３”に対して利用可能な１０個のＲＥとの例示的な割り振りを図示している。リソースグリッド１８２０は、ＢＳ“１”およびＢＳ“３”に対して利用可能な１０個のＲＥと、ＢＳ“２”に対して利用可能な１１個のＲＥとの例示的な割り振りを図示している。リソースグリッド１８３０は、ＢＳ“１”およびＢＳ“３”に対して利用可能な１１個のＲＥと、ＢＳ“２”に対して利用可能な１０個のＲＥとの例示的な割り振りを図示している。図１８中の例が、時間における連続するＲＥにわたってＣＤＭを持つＣＤＭ−Ｔパターンに限定される場合、利用可能なＲＥの数は減少されるが、ＵＥ−ＲＳアンテナポート５のすべての可能性あるシフトに対して、８ＣＳＩ−ＲＳポートが各ＢＳに対して依然として適合されてもよい。
【００６７】
当業者は、さまざまな異なる技術および技法のうちの任意のものを使用して、情報および信号を表してもよいことを理解するであろう。例えば、上記の記述全体を通して参照されうるデータ、命令、コマンド、情報、信号、ビット、シンボルおよびチップは、電圧、電流、電磁波、磁界または磁粒、光界または光粒、あるいは、これらの任意の組み合わせにより表してもよい。
【００６８】
ここでの開示に関連して記述した、さまざまな例示的な論理ブロック、モジュール、回路およびアルゴリズムステップを、電子ハードウェア、コンピュータソフトウェア、または、双方の組み合わせとして実現してもよいことを、当業者はさらに正しく認識するであろう。ハードウェアおよびソフトウェアのこの交換可能性を明確に示すために、さまざまな例示的なコンポーネント、ブロック、モジュール、回路、およびステップを、概してこれらの機能性に関して上述した。このような機能性がハードウェアまたはソフトウェアとして実現されるか否かは、システム全体に課せられた、特定の応用、および、設計の制約に依存する。熟練者は、それぞれの特定の応用に対して変化する方法で、記述した機能性を実現してもよいが、そのような実現の決定は、本開示の範囲からの逸脱を生じさせるものとして解釈すべきではない。
【００６９】
ここでの開示に関連して説明した、さまざまな例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス、離散ゲートまたはトランジスタ論理、離散ハードウェアコンポーネント、あるいは、ここで記述した機能を実行するように設計されているこれらの任意の組み合わせで、実現または実行してもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアを伴う１つ以上のマイクロプロセッサ、または、他の何らかのこのような構成のような、コンピューティングデバイスの組み合わせとして、実現されてもよい。
【００７０】
ここでの開示に関連して記述した方法またはアルゴリズムのステップは、ハードウェアで、プロセッサにより実行されるソフトウェアモジュールで、あるいは、２つのものを組み合わせたもので直接的に具現化してもよい。ソフトウェアモジュールは、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体は、プロセッサに一体化していてもよい。プロセッサおよび記憶媒体は、ＡＳＩＣに存在していてもよい。ＡＳＩＣは、ユーザ端末に存在していてもよい。代替実施形態では、プロセッサおよび記憶媒体は、離散コンポーネントとしてユーザ端末に存在していてもよい。
【００７１】
１つ以上の例示的な設計において、記述した機能を、ハードウェアで、ソフトウェアで、ファームウェアで、または、これらの任意の組み合わせで実現してもよい。ソフトウェアで実現した場合、機能は、１つ以上の命令またはコードとして、コンピュータ読取可能媒体上に記憶してもよく、あるいは、コンピュータ読取可能媒体を通して送信してもよい。コンピュータ読取可能媒体は、１つの場所から別の場所へのコンピュータプログラムの転送を促進する何らかの媒体を含む、コンピュータ記憶媒体および通信媒体の双方を含む。記憶媒体は、汎用コンピュータまたは特別用途コンピュータによりアクセスできる何らかの利用可能な媒体であってもよい。例として、これらに限定されないが、このようなコンピュータ読取可能媒体は、光ディスク記憶装置、磁気ディスク記憶装置または他の磁気記憶デバイス、あるいは、汎用コンピュータまたは特別用途コンピュータ、ならびに、汎用プロセッサまたは特別用途プロセッサによりアクセスでき、命令またはデータ構造の形態で所望のプログラムコード手段を伝送または記憶するために使用できる他の何らかの媒体を含めることができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。上記のものの組み合わせも、コンピュータ読取可能媒体の範囲内に含められるべきである。
【００７２】
本開示のこれまでの記述は、当業者が本開示を製作または使用できるように提供した。本開示に対するさまざま改良は当業者に容易に明らかとなり、ここに規定した一般的な原理は、本開示の精神または範囲から逸脱することなく、他のバリエーションに適用されてもよい。したがって、本開示は、ここで記述した例および設計に限定されることを意図しているものではなく、ここで開示した原理および新しい特徴と一致した最も広い範囲に一致させるべきである。
【図１】
2013532427.tif 000003
【図２】
2013532427.tif 000004
【図３】
2013532427.tif 000005
【図４】
2013532427.tif 000006
【図５】
2013532427.tif 000007
【図６】
2013532427.tif 000008
【図７】
2013532427.tif 000009
【図８】
2013532427.tif 000010
【図９】
2013532427.tif 000011
【図１０】
2013532427.tif 000012
【図１１】
2013532427.tif 000013
【図１２】
2013532427.tif 000014
【図１３】
2013532427.tif 000015
【図１４】
2013532427.tif 000016
【図１５】
2013532427.tif 000017
【図１６】
2013532427.tif 000018
【図１７】
2013532427.tif 000019
【図１８】
2013532427.tif 000020
【手続補正書】
【提出日】平成25年2月4日(2013.2.4)
【手続補正１】
【補正対象書類名】明細書
【補正対象項目名】全文
【補正方法】変更
【補正の内容】
【発明の詳細な説明】
【関連出願への相互参照】
【０００１】
本出願は、２０１０年６月１日に出願され、２０１１年５月３日に出願された米国出願１３／１００，２１５の一部継続でもある、米国仮出願シリアル番号６１／３５０，４４８に対して優先権を主張する。これらは、ここでの参照によりこれらの全体がここに明示的に組み込まれている。
【背景】
【０００２】
Ｉ．分野
本開示は、一般的に、通信に関し、さらに詳細には、ワイヤレス通信ネットワークにおいて測定を行う技術に関する。
【０００３】
ＩＩ．背景
ワイヤレス通信ネットワークは、音声、ビデオ、パケットデータ、メッセージング、ブロードキャスト等のような、さまざまな通信コンテンツを提供するために、広く配備されている。これらのワイヤレスネットワークは、利用可能なネットワークリソースを共有することにより、複数のユーザをサポートできる多元接続ネットワークであってもよい。このような多元接続ネットワークの例は、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよび単一搬送波ＦＤＭＡ（ＳＣ−ＦＤＭＡ）ネットワークを含む。
【０００４】
ワイヤレス通信ネットワークは、多数のユーザ機器（ＵＥ）に対する通信をサポートできる多数の基地局を備えていてもよい。ＵＥは、ダウンリンクおよびアップリンクを介して基地局と通信してもよい。ダウンリンク（すなわちフォワードリンク）は、基地局からＵＥへの通信リンクのことを指し、アップリンク（すなわちリバースリンク）は、ＵＥから基地局への通信リンクのことを指す。
【０００５】
ＵＥにとって既知であるさまざまな基準信号（ＲＳ）が、例えば、チャネル推定を促進するために、ダウンリンク中で送信されてもよい。いくつかのケースでは、セル中のすべてのＵＥに対して共通である、セル固有ＲＳが提供される。さらにまた、特定のＵＥをターゲットにしているデータ中に埋め込まれた、ＵＥ特有なＲＳが送信されてもよい。さらにまた、マルチメディアブロードキャスト単一周波数ネットワーク（ＭＢＳＦＮ）構成のケースでは、ＭＢＳＦＮ特有なＲＳが提供されてもよい。これらのＲＳは、典型的に、直交周波数分割多重化（ＯＦＤＭ）シンボル内の特定されたリソースエレメント（ＲＥ）を占有する。
【概要】
【０００６】
本開示のある態様は、ワイヤレス通信のための方法を提供する。方法は、一般的に、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することと、送信構成に基づいて、利用可能なＣＳＩ−ＲＳパターンのセットのうちのサブセットを識別することと、サブセットからＣＳＩ−ＲＳパターンのうちの１つを選択することと、選択されたＣＳＩ−ＲＳパターンにしたがってサブフレーム中でＣＳＩ−ＲＳを送信することとを含む。
【０００７】
本開示のある態様は、ワイヤレス通信のための方法を提供する。方法は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することと、特定の送信構成に対して、ＣＳＩ−ＲＳを送信するために使用する利用可能なＣＳＩ−ＲＳパターンのセットのうちのサブセットから選択されたＣＳＩ−ＲＳパターンを識別することと、選択されたＣＳＩ−ＲＳパターンにしたがって送信されたＣＳＩ−ＲＳをサブフレーム中で受信することとを含む。
【０００８】
本開示のある態様は、ワイヤレス通信のための装置を提供する。装置は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別する手段と、送信構成に基づいて、利用可能なＣＳＩ−ＲＳパターンのセットのうちのサブセットを識別する手段と、サブセットからＣＳＩ−ＲＳパターンのうちの１つを選択する手段と、選択されたＣＳＩ−ＲＳパターンにしたがってサブフレーム中でＣＳＩ−ＲＳを送信する手段とを具備する。
【０００９】
本開示のある態様は、ワイヤレス通信のための装置を提供する。装置は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別する手段と、特定の送信構成に対して、ＣＳＩ−ＲＳを送信するために使用する利用可能なＣＳＩ−ＲＳパターンのセットのうちのサブセットから選択されたＣＳＩ−ＲＳパターンを識別する手段と、選択されたＣＳＩ−ＲＳパターンにしたがって送信されたＣＳＩ−ＲＳをサブフレーム中で受信する手段とを具備する。
【００１０】
本開示のある態様は、ワイヤレス通信のための装置を提供する。装置は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別し、送信構成に基づいて、利用可能なＣＳＩ−ＲＳパターンのセットのうちのサブセットを識別し、サブセットからＣＳＩ−ＲＳパターンのうちの１つを選択し、選択されたＣＳＩ−ＲＳパターンにしたがってサブフレーム中でＣＳＩ−ＲＳを送信するように構成されている少なくとも１つのプロセッサと、少なくとも１つのプロセッサに結合されているメモリとを具備する。
【００１１】
本開示のある態様は、ワイヤレス通信のための装置を提供する。装置は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別し、特定の送信構成に対して、ＣＳＩ−ＲＳを送信するために使用する利用可能なＣＳＩ−ＲＳパターンのセットのうちのサブセットから選択されたＣＳＩ−ＲＳパターンを識別し、選択されたＣＳＩ−ＲＳパターンにしたがって送信されたＣＳＩ−ＲＳをサブフレーム中で受信するように構成されている少なくとも１つのプロセッサと、少なくとも１つのプロセッサに結合されているメモリとを具備する。
【００１２】
本開示のある態様は、ワイヤレス通信のための、その上に記憶されている命令を有するコンピュータ読取可能媒体を含むコンピュータプログラムプロダクトを提供する。命令は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別し、送信構成に基づいて、利用可能なＣＳＩ−ＲＳパターンのセットのうちのサブセットを識別し、サブセットからＣＳＩ−ＲＳパターンのうちの１つを選択し、選択されたＣＳＩ−ＲＳパターンにしたがってサブフレーム中でＣＳＩ−ＲＳを送信するための、１つ以上のプロセッサにより実行可能な命令である。
【００１３】
本開示のある態様は、ワイヤレス通信のための、その上に記憶されている命令を有するコンピュータ読取可能媒体を含むコンピュータプログラムプロダクトを提供する。命令は、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別し、特定の送信構成に対してＣＳＩ−ＲＳを送信するために使用する利用可能なＣＳＩ−ＲＳパターンのセットのうちのサブセットから選択されたＣＳＩ−ＲＳパターンを識別し、選択されたＣＳＩ−ＲＳパターンにしたがって送信されたＣＳＩ−ＲＳをサブフレーム中で受信するための、１つ以上のプロセッサにより実行可能な命令である。
【図面の簡単な説明】
【００１４】
【図１】図１は、ワイヤレス通信ネットワークを示している。
【図２】図２は、基地局およびＵＥのブロックダイヤグラムを示している。
【図３】図３は、周波数分割二重（ＦＤＤ）に対するフレーム構造を示している。
【図４】図４は、ダウンリンクに対する２つの例示的なサブフレームフォーマットを示している。
【図５】図５は、例示的な基地局およびユーザ機器を示している。
【図６】図６は、本開示のある態様にしたがった、基地局およびユーザ機器によって実行できる例示的な動作を図示している。
【図７】図７は、本開示のある態様にしたがった、ＦＤＤサブフレームに対する例示的なＣＳＩ−ＲＳパターンを図示している。
【図８】図８は、本開示のある態様にしたがった、中継器に送信されるサブフレームに対する例示的なＣＳＩ−ＲＳパターンを図示している。
【図９】図９は、本開示のある態様にしたがった、中継器に送信されるサブフレームに対する例示的なＣＳＩ−ＲＳパターンを図示している。
【図１０】図１０は、本開示のある態様にしたがった、ＭＢＳＦＮサブフレームに対する例示的なＣＳＩ−ＲＳパターンを図示している。
【図１１】図１１は、本開示のある態様にしたがった、ＦＤＤサブフレームに対する例示的なＣＳＩ−ＲＳパターンを図示している。
【図１２】図１２は、本開示のある態様にしたがった、ＦＤＤサブフレームに対する例示的なＣＳＩ−ＲＳパターンを図示している。
【図１３】図１３は、本開示のある態様にしたがった、ＦＤＤサブフレームに対する例示的なＣＳＩ−ＲＳパターンを図示している。
【図１４】図１４は、本開示のある態様にしたがった、中継器に送信されるサブフレームに対する例示的なＣＳＩ−ＲＳパターンを図示している。
【図１５】図１５は、本開示のある態様にしたがった、中継器に送信されるサブフレームに対する例示的なＣＳＩ−ＲＳパターンを図示している。
【図１６】図１６は、本開示のある態様にしたがった、中継器に送信されるサブフレームに対する例示的なＣＳＩ−ＲＳパターンを図示している。
【図１７】図１７は、本開示のある態様にしたがった、中継器に送信されるサブフレームに対する例示的なＣＳＩ−ＲＳパターンを図示している。
【図１８】図１８は、本開示のある態様にしたがった、中継器に送信されるサブフレームに対する例示的なＣＳＩ−ＲＳパターンを図示している。
【詳細な説明】
【００１５】
本開示のある態様は、基準信号（ＲＳ）を送信する際に使用するためのリソースを割り振る技術を提供する。ある態様にしたがうと、列挙された可能性あるＣＳＩ−ＲＳリソースの大きなセット（“ＣＳＩ−ＲＳパターン”）が規定されてもよく、基地局は、利用可能なパターンのサブセットからＣＳＩ−ＲＳパターンを選択してもよく、サブセットは送信構成により決定される。
【００１６】
例として、基地局がアンテナポート５上でＵＥ−ＲＳ信号を送信する配置では、基地局はそれらのリソースを避けるＣＳＩ−ＲＳパターンを選択するように構成されていてもよい。一方で、ＵＥ−ＲＳ信号がアンテナポート５上で送信されない配置では、基地局は、（例えば、パターンが、アンテナポート５ＲＥに対して使用されるＲＥを避けるか否かに関係なく）より広い範囲のＣＳＩ−ＲＳパターンから選択してもよい。
【００１７】
ここに記述する技術は、ＣＤＭＡ、ＴＤＭＡ、ＦＤＭＡ、ＯＦＤＭＡ、ＳＣ−ＦＤＭＡおよび他のネットワークのような、さまざまなワイヤレス通信ネットワークに対して使用できる。“ネットワーク”および“システム”という用語は、区別なく使用されることが多い。ＣＤＭＡネットワークは、ユニバーサル地上無線アクセス（ＵＴＲＡ）、ｃｄｍａ２０００等のような、無線技術を実現してもよい。ＵＴＲＡは、ワイドバンドＣＤＭＡ（ＷＣＤＭＡ）、時分割同期ＣＤＭＡ（ＴＤ−ＳＣＤＭＡ）および他のＣＤＭＡの変形を含む。ｃｄｍａ２０００は、ＩＳ−２０００、ＩＳ−９５、およびＩＳ−８５６の標準規格をカバーしている。ＴＤＭＡネットワークは、グローバルシステムフォーモバイルコミュニケーション（ＧＳＭ（登録商標））のような無線技術を実現してもよい。ＯＦＤＭＡネットワークは、進化ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ等のような、無線技術を実現してもよい。ＵＴＲＡおよびＥ−ＵＴＲＡは、ユニバーサルモバイルテレコミュニケーションシステム（ＵＭＴＳ）の一部である。周波数分割二重（ＦＤＤ）および時分割二重（ＴＤＤ）の双方における、３ＧＰＰロングタームエボリューション（ＬＴＥ）およびＬＴＥアドバンスド（ＬＴＥ−Ａ）は、ダウンリンク上でＯＦＤＭＡを用い、アップリンク上でＳＣ−ＦＤＭＡを用いる、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、“第３世代パートナーズシッププロジェクト”（３ＧＰＰ）という名称の機関からの文書中に記載されている。ｃｄｍａ２０００およびＵＭＢは、“第３世代パートナーズシッププロジェクト２”（３ＧＰＰ２）という名称の機関からの文書中に記載されている。ここで記述する技術は、上述したワイヤレスネットワークおよび無線技術とともに、他のワイヤレスネットワークおよび無線技術に対して使用してもよい。明瞭性のために、ＬＴＥに対して、下記に技術の特定の態様を記述し、下記の記述の多くには、ＬＴＥ専門用語を使用している。
【００１８】
図１は、ＬＴＥネットワークまたは他のいくつかのワイヤレスネットワークであってもよい、ワイヤレス通信ネットワーク１００を示している。ワイヤレスネットワーク１００は、多くの進化ノードＢ（ｅＮＢ）１１０および他のネットワークエンティティを備えていてもよい。ｅＮＢは、ＵＥと通信するエンティティであり、基地局、ノードＢ、アクセスポイント等と呼ばれることもある。各ｅＮＢは、特定の地理的エリアに対する通信カバレッジを提供してもよい。３ＧＰＰでは、“セル”という用語は、用語が使用される文脈に依存して、ｅＮＢのカバレッジエリア、および／または、このカバレッジエリアを担当するｅＮＢサブシステムのことを指すことができる。
【００１９】
ｅＮＢは、マクロセル、ピコセル、フェムトセル、および／または、他のタイプのセルに対する通信カバレッジを提供してもよい。マクロセルは、比較的大きな地理的エリア（例えば、半径数キロメートル）をカバーしてもよく、サービス加入より、ＵＥによる制限されていないアクセスを可能にしてもよい。ピコセルは、比較的小さい地理的エリアをカバーしてもよく、サービス加入より、ＵＥによる制限されていないアクセスを可能にしてもよい。フェムトセルは、比較的小さい地理的エリア（例えば、ホーム）をカバーしてもよく、フェムトセルに関係しているＵＥ（例えば、閉じられた加入者グループ（ＣＳＧ）中のＵＥ）による、制限されているアクセスを可能にしてもよい。マクロセルに対するｅＮＢは、マクロｅＮＢと呼ばれてもよい。ピコセルに対するｅＮＢは、ピコｅＮＢと呼ばれてもよい。フェムトセルに対するｅＮＢは、フェムトｅＮＢまたはホームｅＮＢ（ＨｅＮＢ）と呼ばれてもよい。図１中に示している例では、ｅＮＢ１１０ａは、マクロセル１０２ａに対するマクロｅＮＢであってもよく、ｅＮＢ１１０ｂは、ピコセル１０２ｂに対するピコｅＮＢであってもよく、ｅＮＢ１１０ｃは、フェムトセル１０２ｃに対するフェムトｅＮＢであってもよい。ｅＮＢは、１つまたは複数（例えば、３つ）のセルをサポートしてもよい。“ｅＮＢ”、“基地局”、“セル”という用語は、ここでは交換可能に使用してもよい。
【００２０】
ワイヤレスネットワーク１００はまた、中継局を備えていてもよい。中継局は、アップストリーム局（例えば、ｅＮＢまたはＵＥ）からのデータの送信を受信でき、ダウンストリーム局（例えば、ＵＥまたはｅＮＢ）へデータの送信を送ることができるエンティティである。中継局はまた、他のＵＥに対する送信を中継できるＵＥであってもよい。図１中で示している例では、中継局１１０ｄは、ｅＮＢ１１０ａとＵＥ１２０ｄとの間の通信を促進するために、マクロｅＮＢ１１０ａおよびＵＥ１２０ｄと通信してもよい。中継局はまた、中継ｅＮＢ、中継局、中継器等と呼ばれてもよい。
【００２１】
ワイヤレスネットワーク１００は、異なるタイプのｅＮＢ、例えば、マクロｅＮＢ、ピコｅＮＢ、フェムトｅＮＢ、中継ｅＮＢ等、を含む異種ネットワークであってもよい。これらの異なるタイプのｅＮＢは、ワイヤレスネットワーク１００において、異なる送信電力レベル、異なるカバレッジエリア、および、干渉における異なる影響を有しているかもしれない。例えば、マクロｅＮＢは、高い送信電力レベル（例えば、５から４０ワット）を有していてもよい一方で、ピコｅＮＢ、フェムトｅＮＢおよび中継ｅＮＢは、より低い送信電力レベル（例えば、０．１から２ワット）を有していてもよい。
【００２２】
ネットワーク制御装置１３０は、ｅＮＢのセットに結合されていてもよく、これらのｅＮＢに対する調整および制御を提供してもよい。ネットワーク制御装置１３０は、バックホールを介してｅＮＢと通信してもよい。ｅＮＢはまた、例えば、ワイヤレスバックホールまたはワイヤーラインバックホールを介して、直接的にまたは間接的に、互いに通信してもよい。
【００２３】
ＵＥ１２０は、ワイヤレスネットワーク１００全体を通して分散されていてもよく、各ＵＥは、静的なものまたは移動性のものであってもよい。ＵＥはまた、端末、移動局、加入者ユニット、局等と呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマートフォン、ネットブック、スマートブック、タブレット等であってもよい。
【００２４】
図２は、図１中の基地局／ｅＮＢの１つおよびＵＥの１つであってもよい、基地局／ｅＮＢ１１０およびＵＥ１２０の設計のブロックダイヤグラムを示している。基地局１１０は、Ｔ本のアンテナ２３４ａないし２３４ｔを備えていてもよく、ＵＥ１２０は、Ｒ本のアンテナ２５２ａないし２５２ｒを備えていてもよく、ここで、一般的に、Ｔ≧１およびＲ≧１である。
【００２５】
基地局１１０において、送信プロセッサ２２０は、１つ以上のＵＥに対するデータソース２１２からデータを受信し、そのＵＥから受信したＣＱＩに基づいて、各ＵＥに対する１つ以上の変調およびコーディングスキーム（ＭＣＳ）を選択し、ＵＥに対して選択したＭＣＳに基づいて、各ＵＥに対するデータを処理（例えば、エンコードおよび変調）し、すべてのＵＥに対してデータシンボルを提供してもよい。送信プロセッサ２２０はまた、システム情報（例えば、ＳＲＰＩ等）と制御情報（例えば、ＣＱＩ要求、許可、上位レイヤのシグナリング等）を処理し、オーバーヘッドシンボルおよび制御シンボルを提供してもよい。プロセッサ２２０はまた、基準信号（例えば、ＣＲＳ）および同期信号（例えば、ＰＳＳおよびＳＳＳ）に対する基準シンボルを発生させてもよい。送信（ＴＸ）複数入力複数出力（ＭＩＭＯ）プロセッサ２３０は、適用可能な場合に、データシンボル、制御シンボル、オーバーヘッドシンボル、および／または、基準信号上で空間処理（例えば、プリコーディング）を実行してもよく、Ｔ個の変調器（ＭＯＤ）２３２ａないし２３２ｔにＴ個の出力シンボルストリームを提供してもよい。各変調器２３２は、（例えば、ＯＦＤＭ等のために）それぞれの出力シンボルストリームを処理し、出力サンプルストリームを取得してもよい。各変調器２３２は、さらに、出力サンプルストリームを処理（例えば、アナログにコンバート、増幅、フィルタリングおよびアップコンバート）して、ダウンリンク信号を取得してもよい。変調器２３２ａないし２３２ｔからのＴ個のダウンリンク信号は、それぞれ、Ｔ本のアンテナ２３４ａないし２３４ｔを介して送信されてもよい。
【００２６】
ＵＥ１２０において、アンテナ２５２ａないし２５２ｒは、基地局１１０および／または他の基地局からダウンリンク信号を受信してもよく、受信信号を復調器（ＤＥＭＯＤ）２５４ａないし２５４ｒにそれぞれ提供してもよい。各復調器２５４は、この受信信号を調整（例えば、フィルタリング、増幅、ダウンコンバートおよびデジタル化）して、入力サンプルを取得してもよい。各復調器２５４は、（例えば、ＯＦＤＭ等のために）入力サンプルをさらに処理して、受信シンボルを取得してもよい。ＭＩＭＯ検出器２５６は、すべてのＲ個の復調器２５４ａないし２５４ｒから受信シンボルを取得し、適用可能な場合に、受信シンボル上でＭＩＭＯ検出を実行して、検出したシンボルを提供してもよい。受信プロセッサ２５８は、検出シンボルを処理（例えば、復調およびデコード）し、ＵＥ１２０に対するデコードしたデータをデータシンク２６０に提供して、デコードした制御情報およびシステム情報を制御装置／プロセッサ２８０に提供してもよい。チャネルプロセッサ２８４は、下記に記述するような、ＲＳＲＰ、ＲＳＳＩ、ＲＳＲＱ、ＣＱＩ等を決定してもよい。
【００２７】
アップリンク上で、ＵＥ１２０において、送信プロセッサ２６４は、データソース２６２からのデータと、制御装置／プロセッサ２８０からの（例えば、ＲＳＲＰ、ＲＳＳＩ、ＲＳＲＱ、ＣＱＩ等を含む報告のための）制御情報とを、受け取って処理してもよい。プロセッサ２６４はまた、１つ以上の基準信号に対する基準シンボルを発生させてもよい。送信プロセッサ２６４からのシンボルは、適用可能な場合に、ＴＸ ＭＩＭＯプロセッサ２６６によりプリコーディングされてもよく、（例えば、ＳＣ−ＦＤＭ、ＯＦＤＭ等のために）変調器２５４ａないし２５４ｒによりさらに処理されて、基地局１１０に送信されてもよい。基地局１１０において、ＵＥ１２０および他のＵＥからのアップリンク信号は、アンテナ２３４により受信され、復調器２３２により処理され、適用可能な場合に、ＭＩＭＯ検出器２３６により検出されて、受信プロセッサ２３８によりさらに処理されて、ＵＥ１２０により送られ、デコードされた、データおよび制御情報を取得してもよい。プロセッサ２３８は、デコードされたデータをデータシンク２３９に提供し、デコードされた制御情報を制御装置／プロセッサ２４０に提供してもよい。
【００２８】
制御装置／プロセッサ２４０および２８０は、それぞれ、基地局１１０およびＵＥ１２０における動作を指示してもよい。基地局１１０におけるプロセッサ２４０および／または他のプロセッサならびにモジュールは、図６の動作６００、および／または、ここに記述した技術に対する他のプロセスを実行または指示してもよい。ＵＥ１２０におけるプロセッサ２８０および／または他のプロセッサならびにモジュールは、図６の動作６５０、および／または、ここに記述した技術に対する他のプロセスを実行または指示してもよい。メモリ２４２および２８２は、それぞれ、基地局１１０およびＵＥ１２０に対する、データおよびプログラムコードをそれぞれ記憶してもよい。スケジューラ２４４は、ダウンリンクおよび／またはアップリンク上のデータ送信に対してＵＥをスケジューリングしてもよい。
【００２９】
図３は、ＬＴＥにおけるＦＤＤに対する例示的なフレーム構造３００を示している。ダウンリンクおよびアップリンクの各々に対する送信タイムラインは、無線フレームの単位に分割されてもよい。各無線フレームは、予め定められている持続期間（例えば、１０ミリ秒（ｍｓ））を有していてもよく、０ないし９のインデックスを持つ１０個のサブフレームに分割されてもよい。各サブフレームは、２個のスロットを含んでいてもよい。各無線フレームは、したがって、０ないし１９のインデックスを持つ２０個のスロットを含んでいてよい。各スロットは、Ｌ個のシンボル期間、例えば、（図２中で示しているように）ノーマルサイクリックプリフィックスに対して７個のシンボル期間、または、拡張サイクリックプリフィックスに対して６個のシンボル期間を含んでいてもよい。各サブフレーム中の２Ｌ個のシンボル期間に、０ないし２Ｌ−１のインデックスが割り当てられていてもよい。
【００３０】
ＬＴＥでは、ｅＮＢは、ｅＮＢによってサポートされる各セルに対して、システム帯域幅の中心１．０８ＭＨｚ中で、ダウンリンク上で、１次同期信号（ＰＳＳ）および２次同期信号（ＳＳＳ）を送信してもよい。図３中に示しているように、ＰＳＳおよびＳＳＳは、それぞれ、ノーマルサイクリックプリフィックスを持つ各無線フレームのサブフレーム０および５におけるシンボル期間６および５中で送信されてもよい。ＰＳＳおよびＳＳＳは、セルサーチおよび獲得のためにＵＥにより使用されてもよい。ｅＮＢは、ｅＮＢによりサポートされる各セルに対して、システム帯域幅にわたって、セル固有基準信号（ＣＲＳ）を送信してもよい。ＣＲＳは、各サブフレームの特定のシンボル期間中に送信されてもよく、チャネル推定、チャネル品質測定および／または他の機能を実行するために、ＵＥにより使用されてもよい。ｅＮＢはまた、特定の無線フレーム中のスロット１におけるシンボル期間０から３中で、物理ブロードキャストチャネル（ＰＢＣＨ）を送信してもよい。ＰＢＣＨは、いくつかのシステム情報を伝えてもよい。ｅＮＢは、特定のサブフレーム中で、物理ダウンリンク共有チャネル（ＰＤＳＣＨ）上で、システム情報ブロック（ＳＩＢ）のような他のシステム情報を送信してもよい。ｅＮＢは、サブフレームの第１のＢシンボル期間中で、物理ダウンリンク制御チャネル（ＰＤＣＣＨ）上で制御情報／データを送信してもよく、Ｂは、各サブフレームに対して構成可能であってもよい。ｅＮＢは、各サブフレームの残りのシンボル期間中で、ＰＤＳＣＨ上でトラフィックデータおよび／または他のデータを送信してもよい。
【００３１】
図４は、通常のサイクリックプリフィックスを持つダウンリンクに対して、２つの例示的なサブフレームフォーマット４１０および４２０を示している。ダウンリンクに対して利用可能な時間周波数リソースは、リソースブロックに分割してもよい。各リソースブロックは、１個のスロット中の１２個の副搬送波をカバーしてもよく、多数のリソースエレメントを含んでいてもよい。各リソースエレメントは、１個のシンボル期間中の１個の副搬送波をカバーしてもよく、実数値または複素数値であってもよい１個の変調シンボルを送るために使用されてもよい。
【００３２】
サブフレームフォーマット４１０は、２本のアンテナを装備するｅＮＢに対して使用してもよい。ＣＲＳは、シンボル期間０、４、７および１１中で、アンテナ０および１から送信されてもよい。基準信号は、送信機および受信機によりアプリオリに知られている信号であり、パイロットとも呼ばれることがある。ＣＲＳは、セルに対して固有の、例えば、セル識別子（ＩＤ）に基づいて発生された基準信号である。図４中では、ラベルＲaを持つ所定のリソースエレメントに対して、そのリソースエレメント上で、アンテナａから変調シンボルが送信されてもよく、そのリソースエレメント上で、他のアンテナからは変調シンボルが送信されない。サブフレームフォーマット４２０は、４本のアンテナを装備するｅＮＢに対して使用してもよい。ＣＲＳは、シンボル期間０、４、７および１１中で、アンテナ０および１から送信されてもよく、シンボル期間１および８中で、アンテナ２および３から送信されてもよい。サブフレームフォーマット４１０および４２０の双方に対して、ＣＲＳは、セルＩＤに基づいて決定されてもよい、等しく間隔をあけている副搬送波上で送信されてもよい。異なるｅＮＢは、それらのセルＩＤに依存して、同一の副搬送波または異なる副搬送波上で、それらのＣＲＳを送信してもよい。サブフレームフォーマット４１０および４２０の双方に対して、ＣＲＳに対して使用されないリソースエレメントは、データ（例えば、トラフィックデータ、制御データおよび／または他のデータ）を送信するために使用してもよい。
【００３３】
ＬＴＥにおけるＦＤＤに対するダウンリンクおよびアップリンクのそれぞれに対して、インターレース構造を使用してもよい。例えば、０ないしＱ−１のインデックスを持つＱ個のインターレースを規定してもよく、Ｑは、４、６、８、１０に等しくても、または他の何らかの値であってもよい。各インターレースは、Ｑ個のフレームだけ間隔をあけて離されているサブフレームを含んでいてもよい。特に、インターレースｑは、サブフレームｑ、ｑ＋Ｑ、ｑ＋２Ｑ等を含んでもよく、ここでｑ∈｛０，...，Ｑ−１｝である。
【００３４】
ワイヤレスネットワークは、ダウンリンクおよび／またはアップリンク上でのデータ送信に対して、ハイブリッド自動再送（ＨＡＲＱ）をサポートしてもよい。ＨＡＲＱに対して、受信機（例えば、ＵＥ）によりパケットが正しくデコードされるまで、または、他の何らかの終了条件に直面するまで、送信機（例えば、ｅＮＢ）はパケットの１つ以上の送信を送ってもよい。同期ＨＡＲＱに対して、パケットのすべての送信は、単一のインターレースのサブフレーム中で送られてもよい。非同期ＨＡＲＱに対して、パケットのそれぞれの送信は、どのサブフレーム中で送られてもよい。
【００３５】
ＵＥは、複数のｅＮＢのカバレッジ内に位置付けられていてもよい。これらのｅＮＢのうちの１つは、ＵＥを担当するように選択されてもよい。担当ｅＮＢは、受信信号強度、受信信号品質、パス損失等のような、さまざまな基準に基づいて選択されてもよい。受信信号品質は、信号対ノイズおよび干渉比（ＳＩＮＲ）、基準信号受信品質（ＲＳＲＱ）等により、定量化されてもよい。ＵＥは、ＵＥが１つ以上の干渉ｅＮＢから高い干渉を観測するかもしれない、支配的な干渉シナリオにおいて動作してもよい。
【００３６】
ある態様にしたがうと、ＣＳＩ−ＲＳを送信するために使用するリソースを規定する、ＣＳＩ−ＲＳパターンの比較的大きなセットを規定してもよい。基地局は、送信構成に少なくとも部分的に基づいて、これらのＣＳＩ−ＲＳパターンのサブセットを識別してもよい。基地局は、その後、識別されたサブセットからパターンを選択して、選択されたパターンにしたがって、ＣＳＩ−ＲＳを送信してもよい。
【００３７】
以下のさらなる詳細において記述するように、ＣＳＩ−ＲＳパターンの異なるサブセットを利用してもよい例示的な送信構成は、例えば、ＭＢＳＦＮ送信のための構成、中継デバイスへの送信のための構成、および、ＵＥ特有なＲＳを送信するために特定のアンテナポート（例えば、アンテナポート５）を利用する構成を含んでもよい。
【００３８】
ＣＳＩ−ＲＳパターンのより大きなセットを利用することにより、システム設計を簡略化しつつ、異なる送信構成に対して異なるサブセットを使用することを可能にする。例えば、以下のさらなる詳細において記述するように、グループから選択される特定のＣＳＩパターンが単一のインデックス値により識別できることから、このようなアプローチはシグナリングを簡略化してもよい。
【００３９】
図５は、本開示のある態様にしたがって選択されるＣＳＩ−ＲＳパターンを利用することができる、基地局（すなわちｅＮＢ）５１０およびＵＥ５２０を備える例示的なワイヤレスシステム５００を図示している。
【００４０】
ある態様にしたがうと、基地局５１０は、ＣＳＩ−ＲＳパターン選択モジュール５１４を備えていてもよい。ＣＳＩ−ＲＳパターン選択モジュール５１４は、一般的に、特定の送信構成に対して利用可能なＣＳＩ−ＲＳパターンのサブセットを決定し、サブセットのＣＳＩ−ＲＳパターンのうちの１つを選択するように構成されていてもよい。基地局５１０は、選択されたＣＳＩ−ＲＳパターンにしたがって、送信機モジュール５１２を介してＣＳＩ−ＲＳを送信してもよい。
【００４１】
図示しているように、ＣＳＩ−ＲＳは、サブフレームのＰＤＳＣＨ領域中で送信されてもよい。ある態様にしたがうと、基地局５１０は、選択されたＣＳＩ−ＲＳパターンを示す１つ以上のパラメータをＵＥ５２０にシグナリングしてもよい。例えば、基地局５１０は、利用可能なＣＳＩ−ＲＳパターンのより大きなセットから選択されたＣＳＩ−ＲＳパターンを識別するために使用されるインデックスを送信してもよい。
【００４２】
ＵＥ５２０は、受信機モジュール５２６を介して、（例えば、ＰＤＳＣＨ領域中で送信される）ＣＳＩ−ＲＳ送信を受信してもよい。ＣＳＩ−ＲＳパターンの知識とともに、ＵＥ５２０は、ＣＳＩ−ＲＳ処理モジュールにより、ＣＳＩ−ＲＳを取り出して処理してもよい。ＣＳＩ−ＲＳ処理モジュールは、（例えば、異なるアンテナポートからのＲＳに基づくチャネル状態情報を示す）ＣＳＩフィードバックを発生させてもよい。
【００４３】
ＵＥ５２０は、送信機モジュール５２２を介して、ＣＳＩフィードバックを基地局５１０に送ってもよい。基地局５１０は、受信機モジュール５１６を介してＣＳＩフィードバックを受信し、フィードバックを利用して送信プロパティを調節してもよい。
【００４４】
図６は、例えば、図５の基地局５１０のような基地局により実行されてもよい例示的な動作６００を図示している。
【００４５】
動作６００は、６０２において、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することにより、開始する。６０４において、基地局は、送信構成に基づいて、利用可能なＣＲＳ−ＲＳパターンのセットのうちのサブセットを識別してもよい。６０６において、基地局は、サブセットからＣＳＩ−ＲＳパターンのうちの１つを選択してもよい。６０８において、基地局は、選択されたＣＳＩ−ＲＳパターンにしたがってサブフレーム中でＣＳＩ−ＲＳを送信してもよい。上で述べたように、基地局は、選択されたＣＳＩ−ＲＳパターンを示す１つ以上のパラメータをシグナリングしてもよい。
【００４６】
図６はまた、例えば、図５のＵＥ５２０のようなＵＥにより実行されてもよい例示的な動作６５０を図示している。
【００４７】
動作６５０は、６５２において、複数のアンテナポートからサブフレーム中でチャネル状態情報基準信号（ＣＳＩ−ＲＳ）を送信する際に使用するためのリソースを規定する利用可能なＣＳＩ−ＲＳパターンのセットを識別することにより、開始する。６５４において、ＵＥは、特定の送信構成に対して、ＣＳＩ−ＲＳを送信するために使用する利用可能なＣＳＩ−ＲＳパターンのセットのうちのサブセットから選択されたＣＳＩ−ＲＳパターンを識別してもよい。６５６において、ＵＥは、選択されたＣＳＩ−ＲＳパターンにしたがって送信されたＣＳＩ−ＲＳをサブフレーム中で受信してもよい。上で述べたように、ＵＥはまた、選択されたＣＳＩ−ＲＳパターンを示す１つ以上のパラメータのシグナリングを受信してもよい。代替実施形態として、ＵＥは、例えば、セルＩＤ、送信構成および／またはシステムタイミングに基づいて、選択されたＣＳＩ−ＲＳパターンをこのようなシグナリングなしで決定することができてもよい。
【００４８】
比較的多数の可能性あるＣＳＩ−ＲＳパターンが存在する一方で、いくつかのケースでは、多くの目的を達成しようと努めながら、ＣＳＩ−ＲＳを送信する際に使用するためのリソースをＢＳのアンテナポートに対して割り振ることが望ましいかもしれない。例として、いくつかのケースでは、（例えば、送信モード７に対して）アンテナポート５ＵＥ−ＲＳシンボルを含むＯＦＤＭシンボルを使用することを避けるＣＳＩ−Ｓパターンを有することが望ましいかもしれない。しかしながら、アンテナポート５ＵＥ−ＲＳ送信を利用しない配置では、このことは、結果として、ＣＳＩ−ＲＳに対して利用可能なＲＥの数を不必要に減少させてしまうかもしれない。したがって、ここに提示するある態様にしたがうと、ＵＥ−ＲＳに対してアンテナポート５を利用する配置は、利用可能なＣＳＩ−ＲＳパターンのより小さなサブセット（アンテナポート５ＵＥ−ＲＳシンボルを含むＯＦＤＭシンボルを使用することを避けるもの）を利用するように構成されていてもよい。ＵＥ−ＲＳに対してアンテナポート５を利用しない配置は、利用可能なＣＳＩ−ＲＳパターンのより大きなセットを利用するように構成されていてもよい。
【００４９】
ある態様にしたがうと、ＣＳＩ−ＲＳ周波数密度は、アンテナポートの数に関わらず（例えば、２Ｔｘ、４Ｔｘおよび８Ｔｘに関わらず）、アンテナポート毎のＲＢ毎に１個のＲＥであってもよい（１ＲＥ／ＲＢ／アンテナポート）。ある態様にしたがうと、ＲＢにわたって比較的均一なパターンを維持するように試みることが望ましいかもしれない。このことは、チャネル推定を簡略化するのを支援し、不均一なパターンよりも実現するのが簡単である。
【００５０】
上で述べたように、利用可能なＣＳＩ−ＲＳパターンのサブセットは、送信構成に依存していてもよい。このようなサブセットから選択される厳密なＣＳＩ−ＲＳパターンは、さまざまな方法で決定されてもよい。例えば、ＣＳＩ−ＲＳパターンは、物理セルＩＤとＣＳＩ−ＲＳアンテナポートの数との関数として選択されてもよい。加えて、または、代替実施形態として、選択されるパターンは、予め規定されており、列挙されたＣＳＩ−ＲＳパターンセットからのシグナリングされたインデックスにより示されてもよい。このシグナリングされたインデックスも、ＣＳＩ−ＲＳアンテナポートの数とシステム帯域幅とに依存してもよい。
【００５１】
同一のセルの異なるアンテナポートに対するＣＳＩ−ＲＳは、例えば、ＦＤＭおよび／またはＴＤＭを利用して、直交多重化される必要があるかもしれない。ＣＳＩ−ＲＳ ＲＥ上の電力を完全に利用するために、ＣＳＩ−ＲＳを含む各ＯＦＤＭシンボルが、すべてのアンテナポートのＣＳＩ−ＲＳを含むことが望ましいかもしれない。
【００５２】
ある態様にしたがうと、ＴＤＤおよびＦＤＤモードに対して比較的多数のＣＳＩ−ＲＳパターンが提供されてもよい。（例えば、ＤＬタイミングケース３のケースにおいて、バックホールリンク上の最後のＯＦＤＭシンボルが切り捨てられるときに、）アドバンスドＵＥ（例えば、リリース１０ＬＴＥ ＵＥ以降）と中継ノードとにより使用されるＣＳＩ−ＲＳパターン間で、再利用係数を最大化し、共通性を維持するように努めながら、パターンを規定してもよい。
【００５３】
図７ないし１８は、多数の異なる例示的なＣＳＩ−ＲＳパターンを図示している。記述するように、図示しているパターンは、基地局全体にわたっての、パターンの異なるレベルの再利用を考慮する。例示的なリソース割り振りは、結果として、異なる数のアンテナポート（例えば、２Ｔｘ、４Ｔｘおよび８Ｔｘ）に対する多数の利用可能なＣＳＩ−ＲＳパターンになる。
【００５４】
例えば、図７は、８ポートＣＳＩ−ＲＳパターンに対する６の再利用係数（または、２つの４ポートＣＳＩ−ＲＳパターンとして、８ポートパターンのそれぞれを分けることにより取得してもよい、４ポートパターンに対する１２の再利用係数）を持つ、周波数分割二重送信モードに対して使用できる例示的なＣＳＩ−ＲＳパターンに対するリソースグリッド７１０を図示している。図示しているように、多数のＲＥは、（“Ｃ”とラベル付けられている）ＣＲＳと、（“Ｄ”とラベル付けられている）ＤＭ−ＲＳとに対して専用であってもよいが、他のＲＥは、ＣＳＩ−ＲＳに対して利用可能でない、または、単に使用されなくてもよい。図示しているように、これは、（“１”ないし“６”とラベル付けられている）最大６機の基地局に対する８ＣＳＩ−ＲＳポートを依然として考慮する。リソースグリッド７２０は、これもまた最大６機の基地局に対する８ＣＳＩ−ＲＳポートを考慮する類似した例を示しているが、リソースグリッド７１０に比べて再配置されたセット“１”に対してＲＥが割り振られている。リソースグリッド７３０は、リソースグリッド７１０および７２０からのＲＥを組み合わせることにより、７の再利用係数を提供する。
【００５５】
図８ないし９は、本開示のある態様にしたがった、中継器に送信されるサブフレームに対する例示的なＣＳＩ−ＲＳパターンを図示している。これらの例示的な中継器パターンのすべてに対して、１４個のシンボルを示しているが、スイッチング時間により最後のシンボルは損失されるかもしれない。図８は、中継ノードへの送信のために使用してもよい例示的なＣＳＩ−ＲＳパターンに対して、リソースグリッド８１０、８２０および８３０を図示している。リソースグリッドは１４個のシンボルを示しているが、スイッチング時間により結果として最後のシンボルが損失されるかもしれない。図８中に図示している例は、サブフレーム毎の時間における２つのＵＥ−ＲＳインスタンスを仮定してもよい。図示しているように、リソースグリッド８１０中に示している例は、５の再利用係数を提供してもよい。再利用係数は、リソースグリッド８３０中で図示しているように、６に増加させてもよい。リソースグリッド８２０中で図示しているように、いくつかのケースでは、最初の４個のシンボルと最後のシンボルは、避けられてもよく、結果として、３の再利用係数になる。また、図８中で示しているすべてのパターンの中で、例が、２アンテナポートのＣＳＩ−ＲＳが時間において２個の隣接するＲＥにわたってコード分割多重化されている（ＣＤＭされている）、ＣＤＭ−Ｔを持つパターンのみに限定される場合、グリッド８２０中で示しているパターンのみが使用されてもよい。
【００５６】
図９は、サブフレーム毎に１つのＣＳＩ−ＲＳインスタンスを仮定して、例えば、中継ノードへの送信のために使用してもよい例示的なＣＳＩ−ＲＳパターンに対して、リソースグリッド９１０および９２０を図示している。図示しているように、リソースグリッド９１０中に示している例は、７の再利用係数を提供してもよい一方で、リソースグリッド９２０中に示している例は、４の再利用係数を提供してもよい。
【００５７】
図１０は、ＭＢＳＦＮサブフレーム中での送信のために使用してもよい例示的なＣＳＩ−ＲＳパターンに対する、リソースグリッド１０１０、１０２０および１０３０を図示している。図示しているように、リソースグリッド１０１０、１０２０および１０３０中に示している例は、それぞれ、１４、１２および１５の再利用係数を提供してもよい。
【００５８】
上で述べたように、いくつかのケースでは、ＣＳＩ−ＲＳパターンが、アンテナポート５により送信されるＵＥ−ＲＳを運ぶＲＥを避けることが望ましいかもしれない。図１１は、４の再利用係数に対して、アンテナポート５により送信されるＵＥ−ＲＳ（このような送信に対する“Ｕ”とラベル付けされているＲＥ）を避ける、ＴＤＤサブフレームに対する多数の異なるＣＳＩ−ＲＳパターンが利用可能である。いくつかのケースでは、１２、１０、８および１０個のＲＥが、それぞれ、ＢＳ１、２、３および４のＣＳＩ−ＲＳに対して予約されていてもよいが、それらのＲＥのうちのいくつかのみがＣＳＩ−ＲＳに対して実際に使用される。例えば、リソースグリッド１１１０は、ＢＳ“１”に対して利用可能な９個のＲＥ、ＢＳ“２”およびＢＳ“４”に対して利用可能な１２個のＲＥ、ＢＳ“３”に対して利用可能な８個のＲＥの例示的な割り振りを図示しており、ここで、ＵＥ−ＲＳポート５に割り振られているすべてのＲＥは避けられる。これらの利用可能なＲＥのうちの任意の８個のＲＥのセットが、利用可能なＣＳＩ−ＲＳパターンを構成することが可能である。したがって、９個のＲＥにより、ＢＳ“１”に対して９の可能性あるパターンが存在し、１２個のＲＥにより、ＢＳ“２”およびＢＳ“４”に対して、４９５個の利用可能な組み合わせが存在する。ＣＤＭ−Ｆ ＣＳＩ−ＲＳパターンが考慮される場合に、使用可能なＲＥの数はさらに減少する。例えば、ＲＥは、２アンテナポートのＣＳＩ−ＲであるＣＤＭ−Ｆパターンに対応する各ＢＳに対してグループ化され、周波数において２本の隣接するトーンにわたってＣＤＭされる。ＲＥが、サイズ２のグループ中へとペアリングされる場合に、一番上から、そのグループ中へとペアリングされているＲＥを見つけることができないＲＥはスキップされてもよい。この例では、この追加の制約が、グループのそれぞれに対する使用可能なＲＥの数を８に減少させる。（同一の基地局ナンバーに対して）各ＣＳＩ−ＲＳグループ中の８ＣＳＩ−ＲＳポートに対してＲＥを割り振ることが可能であると理解できる。
【００５９】
リソースグリッド１１２０および１１３０により図示しているように、アンテナポート５がＵＥ−ＲＳを送信するために使用される“Ｕ”ＲＥの位置はシフトしてもよい。図示しているように、これにより、ＣＳＩ−ＲＳに対して利用可能なＲＥ位置、および、いくつかのケースでは、利用可能なＲＥの数が変化してもよい。しかしながら、依然として利用可能なこれらの新しい“Ｕ”位置を避ける多数のＣＳＩ−ＲＳパターンが依然として存在する。ＣＤＭ−Ｆに対して、上述したペアリングでは、また、各グループに対して、８ポートを持つＣＳＩ−ＲＳパターンを見つけることが可能であってもよい。示されてはいないが、ＣＲＳに対するＲＥの位置もまたシフトしてもよいことに留意すべきである。
【００６０】
図１２は、４の再利用係数をまた提供する他の例示的なリソースグリッド１２１０、１２２０および１２３０を図示している。これらの例では、ＢＳ“１”、“２”、“３”および“４”のそれぞれに対応して、１２個のＲＥが予約されている。しかしながら、ＵＥ−ＲＳに対して使用されないＲＥのみがＣＳＩ−ＲＳに対する使用に対して利用可能であり、結果として、ＣＳＩ−ＲＳに対して利用可能なＲＥの数がより少なくなる。リソースグリッド１２１０は、ＢＳ“１”、ＢＳ“２”およびＢＳ“４”に対して利用可能な１１個のＲＥと、ＢＳ“３”に対して利用可能な１０個のＲＥとの例示的な割り振りを図示している。リソースグリッド１２２０は、ＢＳ“２”に対して利用可能な１１個のＲＥと、ＢＳ“１”、ＢＳ“３”およびＢＳ“４”に対して利用可能な１０個のＲＥとの例示的な割り振りを図示している。リソースグリッド１２３０は、ＢＳ“３”に対して利用可能な１１個のＲＥと、ＢＳ“１”、ＢＳ“２”およびＢＳ“４”に対して利用可能な１０個のＲＥとの例示的な割り振りを図示している。この例が、２アンテナポートのＣＳＩ−ＲＳが時間において２個の隣接するＲＥにわたってＣＤＭされているＣＤＭ−Ｔ ＣＳＩ−ＲＳパターンに限定されている場合、アンテナポート５のＵＥ−ＲＳのすべての可能性あるシフトに対して、各グループ中に少なくとも８ＣＳＩ−ＲＳポートを適合させてもよい。
【００６１】
図１３は、５の再利用係数をまた提供する、他のさらなる例示的なリソースグリッド１３１０、１３２０および１３３０を図示している。リソースグリッド１３１０は、ＢＳ“１”に対して利用可能な９個のＲＥと、ＢＳ“２”、ＢＳ“３”およびＢＳ“５”に対して利用可能な１１個のＲＥと、ＢＳ“４”に対して利用可能な１０個のＲＥとの例示的な割り振りを図示している。リソースグリッド１３２０は、ＢＳ“１”に対して利用可能な９個のＲＥと、ＢＳ“２”、ＢＳ“４”およびＢＳ“５”に対して利用可能な１０個のＲＥと、ＢＳ“３”に対して利用可能な１１個のＲＥとの例示的な割り振りを図示している。リソースグリッド１３３０は、ＢＳ“１”に対して利用可能な９個のＲＥと、ＢＳ“２”、ＢＳ“３”およびＢＳ“５”に対して利用可能な１０個のＲＥと、ＢＳ“４”に対して利用可能な１１個のＲＥとの例示的な割り振りを図示している。この例が、ＢＳ２、３、４、５におけるＣＤＭ−Ｔパターンに限定されている場合、ＣＳＩ−ＲＳに対して利用可能なＲＥの数は減少されるが、８ＣＳＩ−ＲＳポートが依然として適合されてもよい。ＢＳ１に対して、２本の隣接するトーンにわたってＣＤＭを持つＣＤＭ−Ｆパターンに対するパターンを限定し、依然として８パターンを適合することは不可能である。しかしながら、８ＣＳＩ−ＲＳポートは、ＦＤＭパターンを使用して、または、ＣＤＭ−Ｆパターンにより、ＢＳ“１”に適合してもよいが、隣接しないトーンにわたるＣＤＭを可能にする。
【００６２】
図１４ないし１８は、本開示のある態様にしたがった、中継器に送信されるサブフレームに対する例示的なＣＳＩ−ＲＳパターンを図示している。上で述べたように、１４個のシンボルを示しているが、スイッチング時間により最後のシンボルが損失されるかもしれない。図１４は、サブフレーム毎の時間における２つのＵＥ−ＲＳインスタンスを仮定して、中継ノードへの送信に対して使用してもよく、また“Ｕ”ＲＥを避ける例示的なＣＳＩ−ＲＳパターンに対するリソースグリッド１４１０、１４２０および１４３０を図示している。例は、３の再利用係数を提供する。リソースグリッド１４１０は、ＢＳ“１”およびＢＳ“２”に対して利用可能な１１個のＲＥと、ＢＳ“３”に対して利用可能な８個のＲＥとの例示的な割り振りを図示している。リソースグリッド１４２０および１４３０の双方は、ＢＳ“１”およびＢＳ“２”に対して利用可能な１０個のＲＥと、ＢＳ“３”に対して利用可能な８個のＲＥとの例示的な割り振りを図示している。例が、ＣＤＭ−Ｆが隣接するトーン（周波数における隣接するＲＥ）に限定されていると考慮される場合、各グループに対する１つの一意的なＣＳＩ−ＲＳパターンが利用可能であってもよい。
【００６３】
図１５は、サブフレーム毎の時間における２つのＵＥ−ＲＳインスタンスを仮定して、中継ノードへの送信に対して使用してもよく、また“Ｕ”ＲＥを避ける例示的なＣＳＩ−ＲＳパターンに対するリソースグリッド１５１０、１５２０および１５３０を図示している。例は、２の再利用係数を提供する。リソースグリッド１５１０および１５３０の双方は、ＢＳ“１”および“２”に対して利用可能な１１個のＲＥの例示的な割り振りを図示している。リソースグリッド１５２０は、ＢＳ“１”および“２”に対して利用可能な１０個のＲＥの例示的な割り振りを図示している。例が、時間において隣接するＲＥにわたってＣＤＭを持つＣＤＭ−Ｔパターンに限定される場合、利用可能なＲＥの数は減少されるが、ＵＥ−ＲＳアンテナ５のすべての可能性あるシフトに対して、各グループ中で８ＣＳＩ−ＲＳポートを依然として適合させてもよい。
【００６４】
図１６は、サブフレーム毎の時間における２つのＵＥ−ＲＳインスタンスを仮定して、中継ノードへの送信に対して使用してもよく、また“Ｕ”ＲＥを避ける例示的なＣＳＩ−ＲＳパターンに対するリソースグリッド１６１０、１６２０および１６３０を図示している。例は、４の再利用係数を提供する。リソースグリッド１６１０および１６３０の双方は、ＢＳ“１”、ＢＳ“２”およびＢＳ“３”に対して利用可能な１１個のＲＥと、ＢＳ“４”に対して利用可能な８個のＲＥとの例示的な割り振りを図示している。リソースグリッド１６２０は、ＢＳ“１”に対して利用可能な１１個のＲＥと、ＢＳ“２”およびＢＳ“３”に対して利用可能な１０個のＲＥと、ＢＳ“４”に対して利用可能な８個のＲＥとの例示的な割り振りを図示している。図１６中の例が、ＢＳ２および３に対して、時間における連続するＲＥにわたってＣＤＭを持つＣＤＭ−Ｔパターンと、ＢＳ１および４に対して、周波数における連続するＲＥにわたってＣＤＭを持つＣＤＭ−Ｆパターンとに限定される場合、利用可能なＲＥの数は減少されるが、ＵＥ−ＲＳアンテナポート５のすべての可能性あるシフトに対して、８ＣＳＩ−ＲＳポートが各ＢＳに対して依然として適合されてもよい。
【００６５】
図１７は、サブフレーム毎の時間における１つのＵＥ−ＲＳインスタンスを仮定して、中継ノードへの送信に対して使用してもよく、また“Ｕ”ＲＥを避ける例示的なＣＳＩ−ＲＳパターンに対するリソースグリッド１７１０、１７２０および１７３０を図示している。例は、５の再利用係数を提供する。リソースグリッド１７１０は、ＢＳ“１”、ＢＳ“２”およびＢＳ“３”に対して利用可能な１１個のＲＥと、ＢＳ“４”に対して利用可能な１０個のＲＥと、ＢＳ“５”に対して利用可能な８個のＲＥとの例示的な割り振りを図示している。リソースグリッド１７２０は、ＢＳ“１”およびＢＳ“３”に対して利用可能な１１個のＲＥと、ＢＳ“２”およびＢＳ“４”に対して利用可能な１０個のＲＥと、ＢＳ“５”に対して利用可能な８個のＲＥとの例示的な割り振りを図示している。リソースグリッド１７３０は、ＢＳ“１”およびＢＳ“４”に対して利用可能な１１個のＲＥと、ＢＳ“２”およびＢＳ“３”に対して利用可能な１０個のＲＥと、ＢＳ“５”に対して利用可能な８個のＲＥとの例示的な割り振りを図示している。図１７中の例が、ＢＳ３および４に対して、時間における連続するＲＥにわたってＣＤＭを持つＣＤＭ−Ｔパターンと、ＢＳ１、２および５に対して、周波数における連続するＲＥにわたってＣＤＭを持つＣＤＭ−Ｆパターンとに限定される場合、利用可能なＲＥの数は減少されるが、ＵＥ−ＲＳアンテナポート５のすべての可能性あるシフトに対して、８ＣＳＩ−ＲＳポートが各ＢＳに対して依然として適合されてもよい。
【００６６】
図１８は、サブフレーム毎の時間における１つのＵＥ−ＲＳインスタンスを仮定して、中継ノードへの送信に対して使用してもよく、また“Ｕ”ＲＥを避ける例示的なＣＳＩ−ＲＳパターンに対するリソースグリッド１８１０、１８２０および１８３０を図示している。例は、３の再利用係数を提供する。リソースグリッド１８１０は、ＢＳ“１”およびＢＳ“２”に対して利用可能な１１個のＲＥと、ＢＳ“３”に対して利用可能な１０個のＲＥとの例示的な割り振りを図示している。リソースグリッド１８２０は、ＢＳ“１”およびＢＳ“３”に対して利用可能な１０個のＲＥと、ＢＳ“２”に対して利用可能な１１個のＲＥとの例示的な割り振りを図示している。リソースグリッド１８３０は、ＢＳ“１”およびＢＳ“３”に対して利用可能な１１個のＲＥと、ＢＳ“２”に対して利用可能な１０個のＲＥとの例示的な割り振りを図示している。図１８中の例が、時間における連続するＲＥにわたってＣＤＭを持つＣＤＭ−Ｔパターンに限定される場合、利用可能なＲＥの数は減少されるが、ＵＥ−ＲＳアンテナポート５のすべての可能性あるシフトに対して、８ＣＳＩ−ＲＳポートが各ＢＳに対して依然として適合されてもよい。
【００６７】
当業者は、さまざまな異なる技術および技法のうちの任意のものを使用して、情報および信号を表してもよいことを理解するであろう。例えば、上記の記述全体を通して参照されうるデータ、命令、コマンド、情報、信号、ビット、シンボルおよびチップは、電圧、電流、電磁波、磁界または磁粒、光界または光粒、あるいは、これらの任意の組み合わせにより表してもよい。
【００６８】
ここでの開示に関連して記述した、さまざまな例示的な論理ブロック、モジュール、回路およびアルゴリズムステップを、電子ハードウェア、コンピュータソフトウェア、または、双方の組み合わせとして実現してもよいことを、当業者はさらに正しく認識するであろう。ハードウェアおよびソフトウェアのこの交換可能性を明確に示すために、さまざまな例示的なコンポーネント、ブロック、モジュール、回路、およびステップを、概してこれらの機能性に関して上述した。このような機能性がハードウェアまたはソフトウェアとして実現されるか否かは、システム全体に課せられた、特定の応用、および、設計の制約に依存する。熟練者は、それぞれの特定の応用に対して変化する方法で、記述した機能性を実現してもよいが、そのような実現の決定は、本開示の範囲からの逸脱を生じさせるものとして解釈すべきではない。
【００６９】
ここでの開示に関連して説明した、さまざまな例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス、離散ゲートまたはトランジスタ論理、離散ハードウェアコンポーネント、あるいは、ここで記述した機能を実行するように設計されているこれらの任意の組み合わせで、実現または実行してもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアを伴う１つ以上のマイクロプロセッサ、または、他の何らかのこのような構成のような、コンピューティングデバイスの組み合わせとして、実現されてもよい。
【００７０】
ここでの開示に関連して記述した方法またはアルゴリズムのステップは、ハードウェアで、プロセッサにより実行されるソフトウェアモジュールで、あるいは、２つのものを組み合わせたもので直接的に具現化してもよい。ソフトウェアモジュールは、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体は、プロセッサに一体化していてもよい。プロセッサおよび記憶媒体は、ＡＳＩＣに存在していてもよい。ＡＳＩＣは、ユーザ端末に存在していてもよい。代替実施形態では、プロセッサおよび記憶媒体は、離散コンポーネントとしてユーザ端末に存在していてもよい。
【００７１】
１つ以上の例示的な設計において、記述した機能を、ハードウェアで、ソフトウェアで、ファームウェアで、または、これらの任意の組み合わせで実現してもよい。ソフトウェアで実現した場合、機能は、１つ以上の命令またはコードとして、コンピュータ読取可能媒体上に記憶してもよく、あるいは、コンピュータ読取可能媒体を通して送信してもよい。コンピュータ読取可能媒体は、１つの場所から別の場所へのコンピュータプログラムの転送を促進する何らかの媒体を含む、コンピュータ記憶媒体および通信媒体の双方を含む。記憶媒体は、汎用コンピュータまたは特別用途コンピュータによりアクセスできる何らかの利用可能な媒体であってもよい。例として、これらに限定されないが、このようなコンピュータ読取可能媒体は、光ディスク記憶装置、磁気ディスク記憶装置または他の磁気記憶デバイス、あるいは、汎用コンピュータまたは特別用途コンピュータ、ならびに、汎用プロセッサまたは特別用途プロセッサによりアクセスでき、命令またはデータ構造の形態で所望のプログラムコード手段を伝送または記憶するために使用できる他の何らかの媒体を含めることができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。上記のものの組み合わせも、コンピュータ読取可能媒体の範囲内に含められるべきである。
【００７２】
本開示のこれまでの記述は、当業者が本開示を製作または使用できるように提供した。本開示に対するさまざま改良は当業者に容易に明らかとなり、ここに規定した一般的な原理は、本開示の精神または範囲から逸脱することなく、他のバリエーションに適用されてもよい。したがって、本開示は、ここで記述した例および設計に限定されることを意図しているものではなく、ここで開示した原理および新しい特徴と一致した最も広い範囲に一致させるべきである。
【国際調査報告】
2013532427.tif 000021
2013532427.tif 000022